(57)【要約】【課題】簡易な通信手順のままでレンズの着脱検知を行うことが可能なアクセサリー、カメラボディおよびカメラシステムを提供する。【解決手段】第３アクセサリー接点を介した第１データ信号の入力動作および第４アクセサリー接点を介した第２データ信号の出力動作を抑止する期間において、カメラボディに対して第１の真理値に対応するレベルの信号が出力される第５アクセサリー接点と、第２アクセサリー接点に入力されるクロック信号に同期して、第３アクセサリー接点を介したカメラボディからの第１データ信号の入力動作と、第４アクセサリー接点を介したカメラボディへの第２データ信号の出力動作とを行い、第１アクセサリー接点を介してカメラボディから動作電圧が供給されている場合には、第５アクセサリー接点に第１の真理値に対応するレベルの信号が出力される継続時間を所定時間未満に制御するアクセサリー側通信制御手段とを備えるアクセサリー。【選択図】図１
2012189980.tif 000002
【特許請求の範囲】
【請求項１】
第１ボディ接点と、第２ボディ接点と、第３ボディ接点と、第４ボディ接点と、第５ボディ接点とを備え、前記第５ボディ接点の信号レベルが所定時間以上連続して第１の真理値に対応する信号レベルである場合にはアクセサリーが取り外されていることを検知するカメラボディに対し、着脱可能なアクセサリーであって、
前記カメラボディに対して着脱可能に取り付けられる取付手段と、
前記カメラボディに装着されているときに前記第１ボディ接点に接続され、前記カメラボディから動作電圧の供給を受ける第１アクセサリー接点と、
前記カメラボディに装着されているときに前記第２ボディ接点に接続され、前記カメラボディから出力されたクロック信号が入力される第２アクセサリー接点と、
前記カメラボディに装着されているときに前記第３ボディ接点に接続され、前記カメラボディから第１データ信号が入力される第３アクセサリー接点と、
前記カメラボディに装着されているときに前記第４ボディ接点に接続され、前記カメラボディに対して第２データ信号が出力される第４アクセサリー接点と、
前記カメラボディに装着されているときに前記第５ボディ接点に接続され、前記第３アクセサリー接点を介した前記第１データ信号の入力動作および前記第４アクセサリー接点を介した前記第２データ信号の出力動作を抑止する期間において、前記カメラボディに対して前記第１の真理値に対応するレベルの信号が出力される第５アクセサリー接点と、
前記第２アクセサリー接点に入力される前記クロック信号に同期して、前記第３アクセサリー接点を介した前記カメラボディからの前記第１データ信号の入力動作と、前記第４アクセサリー接点を介した前記カメラボディへの前記第２データ信号の出力動作とを行うアクセサリー側通信制御手段と、
を備え、
前記アクセサリー側通信制御手段は、前記第１アクセサリー接点を介して前記カメラボディから前記動作電圧が供給されている場合には、第５アクセサリー接点に前記第１の真理値に対応するレベルの信号が出力される継続時間を前記所定時間未満に制御することを特徴とするアクセサリー。
【請求項２】
請求項１に記載のアクセサリーにおいて、
前記アクセサリー側通信制御手段は、前記第１アクセサリー接点を介して前記カメラボディから前記動作電圧が供給され、且つ前記アクセサリー側通信制御手段により前記第１データ信号の入力動作または前記第２データ信号の出力動作が行われている場合には、前記第５アクセサリー接点に前記第１の真理値とは異なる第２の真理値に対応するレベルの信号を出力し、前記第１データ信号の入力動作または前記第２データ信号の出力動作を行っていない場合には、前記第５アクセサリー接点に前記第１の真理値に対応するレベルの信号を出力することを特徴とするアクセサリー。
【請求項３】
請求項１または２に記載のアクセサリーにおいて、
前記アクセサリー側通信制御手段は、前記第１データ信号の入力動作または前記第２データ信号の出力動作において、前記第２アクセサリー接点乃至前記第５アクセサリー接点のうち前記第５アクセサリー接点の信号レベルの変化が最も少なくなるように、前記第２アクセサリー接点乃至前記第５アクセサリー接点の信号レベルを制御することを特徴とするアクセサリー。
【請求項４】
請求項３に記載のアクセサリーにおいて、
前記カメラボディが有する前記第１ボディ接点乃至前記第５ボディ接点とは異なる４つのボディ接点であって、前記第１データ信号の入力動作とも前記第２データ信号の出力動作とも異なる通信動作のための４つのボディ接点に対してそれぞれ接続される４つのアクセサリー接点を更に備え、
前記アクセサリー側通信制御手段は、前記第２アクセサリー接点乃至前記第５アクセサリー接点と、前記４つのアクセサリー接点と、のうち前記第５アクセサリー接点の信号レベルの変化が最も少なくなるように、前記第２アクセサリー接点乃至前記第５アクセサリーと前記４つのアクセサリー接点との信号レベルを制御することを特徴とするアクセサリー。
【請求項５】
請求項１〜４のいずれか一項に記載のアクセサリーにおいて、
前記第５アクセサリー接点は、前記アクセサリー内においてプルダウン抵抗を介して接地されることを特徴とするアクセサリー。
【請求項６】
第１アクセサリー接点と、第２アクセサリー接点と、第３アクセサリー接点と、第４アクセサリー接点と、第５アクセサリー接点を有するアクセサリーが、着脱可能に取り付けられる取付手段と、
前記アクセサリーに装着されているときに前記第１アクセサリー接点に接続され、前記アクセサリーに対して動作電圧を供給する第１ボディ接点と、
前記アクセサリーに装着されているときに前記第２アクセサリー接点に接続され、前記アクセサリーに対してクロック信号が出力される第２ボディ接点と、
前記アクセサリーに装着されているときに前記第３アクセサリー接点に接続され、前記アクセサリーに対して第１データ信号が出力される第３ボディ接点と、
前記アクセサリーに装着されているときに前記第４アクセサリー接点に接続され、前記アクセサリーから第２データ信号が入力される第４ボディ接点と、
前記アクセサリーに装着されているときに前記第５アクセサリー接点に接続され、前記第３ボディ接点を介した前記第１データ信号の出力動作および前記第４ボディ接点を介した前記第２データ信号の入力動作を抑止する期間において、前記アクセサリーから第１の真理値に対応するレベルの信号が入力される第５ボディ接点と、
前記第２ボディ接点から前記クロック信号を出力すると共に、当該クロック信号に同期して、前記第３ボディ接点を介した前記アクセサリーへの前記第１データ信号の出力動作と、前記第４ボディ接点を介した前記アクセサリーからの前記第２データ信号の入力動作とを行うボディ側通信制御手段と、
前記第５ボディ接点の信号レベルが所定時間以上連続して前記第１の真理値に対応する信号レベルである場合には前記アクセサリーが取り外されていることを検知する着脱検知手段と、
を備え、
前記ボディ側通信制御手段は、前記取付手段に前記アクセサリーが取り付けられている場合、前記第５ボディ接点を介して、前記所定時間以上連続して前記第１の真理値に対応する信号レベルになることのない信号を受信することを特徴とするカメラボディ。
【請求項７】
請求項６に記載のカメラボディにおいて、
前記ボディ側通信制御手段は、前記ボディ側通信制御手段により前記第１データ信号の出力動作または前記第２データ信号の入力動作が行われている場合には、前記第５ボディ接点から前記第１の真理値とは異なる第２の真理値に対応するレベルの信号を受信し、前記第１データ信号の出力動作または前記第２データ信号の入力動作を行っていない場合には、前記第５ボディ接点から前記第１の真理値に対応するレベルの信号を受信することを特徴とするカメラボディ。
【請求項８】
請求項６または７に記載のカメラボディにおいて、
前記ボディ側通信制御手段は、前記第１データ信号の出力動作または前記第２データ信号の入力動作において、前記第５ボディ接点を介して、前記第２ボディ接点乃至前記第５ボディ接点の各々を介して授受される信号のうち信号レベルの変化が最も少ない信号を受信することを特徴とするカメラボディ。
【請求項９】
請求項８に記載のカメラボディにおいて、
前記アクセサリーが有する４つのアクセサリー接点にそれぞれ接続される、前記第１ボディ接点乃至前記第５ボディ接点とは異なる４つのボディ接点であって、前記第１データ信号の出力動作とも前記第２データ信号の入力動作とも異なる通信動作のための４つのボディ接点を更に備え、
前記ボディ側通信制御手段は、前記第１データ信号の出力動作または前記第２データ信号の入力動作において、前記第５ボディ接点を介して、前記第２ボディ接点乃至前記第５ボディ接点と、前記４つのボディ接点と、の各々を介して授受される信号のうち信号レベルの変化が最も少ない信号を受信することを特徴とするカメラボディ。
【請求項１０】
カメラボディと、前記カメラボディに対して着脱が可能なアクセサリーと、から成るカメラシステムであって、
前記カメラボディに設けられた、第１のボディ側接点を含む４つのボディ側接点と、
前記カメラボディは、
前記アクセサリーに対して動作電圧を供給する第１ボディ接点と、
前記アクセサリーに対してクロック信号が出力される第２ボディ接点と、
前記アクセサリーに対して第１データ信号が出力される第３ボディ接点と、
前記アクセサリーから第２データ信号が入力される第４ボディ接点と、
前記第３ボディ接点を介した前記第１データ信号の出力動作および前記第４ボディ接点を介した前記第２データ信号の入力動作を抑止する期間において、前記アクセサリーから第１の真理値に対応するレベルの信号が入力される第５ボディ接点と、
前記第２ボディ接点から前記クロック信号を出力すると共に、当該クロック信号に同期して、前記第３ボディ接点を介した前記アクセサリーへの前記第１データ信号の出力動作と、前記第４ボディ接点を介した前記アクセサリーからの前記第２データ信号の入力動作とを行うボディ側通信制御手段と、
前記第５ボディ接点の信号レベルが所定時間以上連続して前記第１の真理値に対応する信号レベルである場合には前記アクセサリーが取り外されていることを検知する着脱検知手段と、
を備え、
前記アクセサリーは、
前記第１ボディ接点に接続される第１アクセサリー接点と、
前記第２ボディ接点に接続される第２アクセサリー接点と、
前記第３ボディ接点に接続される第３アクセサリー接点と、
前記第４ボディ接点に接続される第４アクセサリー接点と、
前記第５ボディ接点に接続される第５アクセサリー接点と、
前記第２アクセサリー接点に入力される前記クロック信号に同期して、前記第３アクセサリー接点を介した前記カメラボディからの前記第１データ信号の入力動作と、前記第４アクセサリー接点を介した前記カメラボディへの前記第２データ信号の出力動作とを行うアクセサリー側通信制御手段と、
を備え、
前記アクセサリー側通信制御手段は、前記第１アクセサリー接点を介して前記カメラボディから前記動作電圧が供給されている場合には、第５アクセサリー接点に前記第１の真理値に対応するレベルの信号が出力される継続時間を前記所定時間未満に制御することを特徴とするカメラシステム。
【請求項１１】
請求項１０に記載のカメラシステムにおいて、
前記アクセサリー側通信制御手段は、前記第１アクセサリー接点を介して前記カメラボディから前記動作電圧が供給され、且つ前記アクセサリー側通信制御手段により前記第１データ信号の入力動作または前記第２データ信号の出力動作が行われている場合には、前記第５アクセサリー接点に前記第１の真理値とは異なる第２の真理値に対応するレベルの信号を出力し、前記第１データ信号の入力動作または前記第２データ信号の出力動作を行っていない場合には、前記第５アクセサリー接点に前記第１の真理値に対応するレベルの信号を出力することを特徴とするカメラシステム。
【請求項１２】
請求項１０または１１に記載のカメラシステムにおいて、
前記アクセサリー側通信制御手段は、前記第１データ信号の入力動作または前記第２データ信号の出力動作において、前記第２アクセサリー接点乃至前記第５アクセサリー接点のうち前記第５アクセサリー接点の信号レベルの変化が最も少なくなるように、前記第２アクセサリー接点乃至前記第５アクセサリー接点を制御することを特徴とするカメラシステム。
【請求項１３】
請求項１２に記載のカメラシステムにおいて、
前記カメラボディは、前記第１ボディ接点乃至前記第５ボディ接点とは異なる４つのボディ接点であって、前記第１データ信号の出力動作とも前記第２データ信号の入力動作とも異なる通信動作のための４つのボディ接点を更に備え、
前記アクセサリーは、前記４つのボディ接点に対してそれぞれ接続される４つのアクセサリー接点を更に備え、
前記アクセサリー側通信制御手段は、前記第２アクセサリー接点乃至前記第５アクセサリー接点と、前記４つのアクセサリー接点と、のうち前記第５アクセサリー接点の信号レベルの変化が最も少なくなるように、前記第２アクセサリー接点乃至前記第５アクセサリー接点と前記４つのアクセサリー接点とを制御することを特徴とするカメラシステム。
【請求項１４】
請求項１０〜１３のいずれか一項に記載のカメラシステムにおいて、
前記第５アクセサリー接点は、前記アクセサリー内においてプルダウン抵抗を介して接地されることを特徴とするカメラシステム。
【請求項１５】
前記アクセサリーは、前記カメラボディに着脱可能な交換レンズであることを特徴とする請求項１〜４のいずれか一項に記載のアクセサリー。
【請求項１６】
前記アクセサリーは、
２つのマウント部を備え、
前記２つのマウント部のうちの一方のマウント部において前記カメラボディを着脱可能であり、且つ前記カメラボディに着脱不能な交換レンズを前記他方のマウント部において着脱可能な中間アクセサリーであることを特徴とする請求項１〜４のいずれか一項に記載のアクセサリー。
【発明の詳細な説明】
【技術分野】
【０００１】
本発明は、アクセサリー、カメラボディおよびカメラシステムに関する。
【背景技術】
【０００２】
従来、カメラボディと交換レンズとの間に通信用の接点を設けたカメラシステムが知られている。このようなカメラシステムにおいて、通信用の接点を用いた交換レンズの着脱検知を行うものが存在する。例えば特許文献１には、撮影レンズ鏡筒とカメラボディとの間の通信ラインＢＩＮＴＬを用いて撮影レンズ鏡筒の装着を検知するカメラシステムが記載されている。通信ラインＢＩＮＴＬはカメラボディが入力と出力の両方に用いる通信ラインであり、カメラボディ内のＢＣＰＵは、着脱検知時には当該通信ラインの端子を入力に、通信時には当該端子を出力に切り替える必要がある。
【先行技術文献】
【特許文献】
【０００３】
【特許文献１】特開平８−９５１４４号公報
【発明の概要】
【発明が解決しようとする課題】
【０００４】
特許文献１に記載された着脱検知機構は、構成が複雑になるという問題があった。
【課題を解決するための手段】
【０００５】
請求項１に係る発明は、第１ボディ接点と、第２ボディ接点と、第３ボディ接点と、第４ボディ接点と、第５ボディ接点とを備え、第５ボディ接点の信号レベルが所定時間以上連続して第１の真理値に対応する信号レベルである場合にはアクセサリーが取り外されていることを検知するカメラボディに対し、着脱可能なアクセサリーであって、カメラボディに対して着脱可能に取り付けられる取付手段と、カメラボディに装着されているときに第１ボディ接点に接続され、カメラボディから動作電圧の供給を受ける第１アクセサリー接点と、カメラボディに装着されているときに第２ボディ接点に接続され、カメラボディから出力されたクロック信号が入力される第２アクセサリー接点と、カメラボディに装着されているときに第３ボディ接点に接続され、カメラボディから第１データ信号が入力される第３アクセサリー接点と、カメラボディに装着されているときに第４ボディ接点に接続され、カメラボディに対して第２データ信号が出力される第４アクセサリー接点と、カメラボディに装着されているときに第５ボディ接点に接続され、第３アクセサリー接点を介した第１データ信号の入力動作および第４アクセサリー接点を介した第２データ信号の出力動作を抑止する期間において、カメラボディに対して第１の真理値に対応するレベルの信号が出力される第５アクセサリー接点と、第２アクセサリー接点に入力されるクロック信号に同期して、第３アクセサリー接点を介したカメラボディからの第１データ信号の入力動作と、第４アクセサリー接点を介したカメラボディへの第２データ信号の出力動作とを行うアクセサリー側通信制御手段と、を備え、アクセサリー側通信制御手段は、第１アクセサリー接点を介してカメラボディから動作電圧が供給されている場合には、第５アクセサリー接点に第１の真理値に対応するレベルの信号が出力される継続時間を所定時間未満に制御することを特徴とするアクセサリーである。
請求項６に係る発明は、第１アクセサリー接点と、第２アクセサリー接点と、第３アクセサリー接点と、第４アクセサリー接点と、第５アクセサリー接点を有するアクセサリーが、着脱可能に取り付けられる取付手段と、アクセサリーに装着されているときに第１アクセサリー接点に接続され、アクセサリーに対して動作電圧を供給する第１ボディ接点と、アクセサリーに装着されているときに第２アクセサリー接点に接続され、アクセサリーに対してクロック信号が出力される第２ボディ接点と、アクセサリーに装着されているときに第３アクセサリー接点に接続され、アクセサリーに対して第１データ信号が出力される第３ボディ接点と、アクセサリーに装着されているときに第４アクセサリー接点に接続され、アクセサリーから第２データ信号が入力される第４ボディ接点と、アクセサリーに装着されているときに第５アクセサリー接点に接続され、第３ボディ接点を介した第１データ信号の出力動作および第４ボディ接点を介した第２データ信号の入力動作を抑止する期間において、アクセサリーから第１の真理値に対応するレベルの信号が入力される第５ボディ接点と、第２ボディ接点からクロック信号を出力すると共に、当該クロック信号に同期して、第３ボディ接点を介したアクセサリーへの第１データ信号の出力動作と、第４ボディ接点を介したアクセサリーからの第２データ信号の入力動作とを行うボディ側通信制御手段と、第５ボディ接点の信号レベルが所定時間以上連続して第１の真理値に対応する信号レベルである場合にはアクセサリーが取り外されていることを検知する着脱検知手段と、を備え、ボディ側通信制御手段は、取付手段にアクセサリーが取り付けられている場合、第５ボディ接点を介して、所定時間以上連続して第１の真理値に対応する信号レベルになることのない信号を受信することを特徴とするカメラボディである。
請求項１０に係る発明は、カメラボディと、カメラボディに対して着脱が可能なアクセサリーと、から成るカメラシステムであって、カメラボディに設けられた、第１のボディ側接点を含む４つのボディ側接点と、カメラボディは、アクセサリーに対して動作電圧を供給する第１ボディ接点と、アクセサリーに対してクロック信号が出力される第２ボディ接点と、アクセサリーに対して第１データ信号が出力される第３ボディ接点と、アクセサリーから第２データ信号が入力される第４ボディ接点と、第３ボディ接点を介した第１データ信号の出力動作および第４ボディ接点を介した第２データ信号の入力動作を抑止する期間において、アクセサリーから第１の真理値に対応するレベルの信号が入力される第５ボディ接点と、第２ボディ接点からクロック信号を出力すると共に、当該クロック信号に同期して、第３ボディ接点を介したアクセサリーへの第１データ信号の出力動作と、第４ボディ接点を介したアクセサリーからの第２データ信号の入力動作とを行うボディ側通信制御手段と、第５ボディ接点の信号レベルが所定時間以上連続して第１の真理値に対応する信号レベルである場合にはアクセサリーが取り外されていることを検知する着脱検知手段と、を備え、アクセサリーは、第１ボディ接点に接続される第１アクセサリー接点と、第２ボディ接点に接続される第２アクセサリー接点と、第３ボディ接点に接続される第３アクセサリー接点と、第４ボディ接点に接続される第４アクセサリー接点と、第５ボディ接点に接続される第５アクセサリー接点と、第２アクセサリー接点に入力されるクロック信号に同期して、第３アクセサリー接点を介したカメラボディからの第１データ信号の入力動作と、第４アクセサリー接点を介したカメラボディへの第２データ信号の出力動作とを行うアクセサリー側通信制御手段と、を備え、アクセサリー側通信制御手段は、第１アクセサリー接点を介してカメラボディから動作電圧が供給されている場合には、第５アクセサリー接点に第１の真理値に対応するレベルの信号が出力される継続時間を所定時間未満に制御することを特徴とするカメラシステムである。
【発明の効果】
【０００６】
本発明によれば、簡易な構成でレンズの着脱検知を行うことができる。
【図面の簡単な説明】
【０００７】
【図１】本発明を適用したレンズ交換式のカメラシステムを示した斜視図である。
【図２】本発明を適用したレンズ交換式のカメラシステムを示した断面図である。
【図３】保持部１０２，２０２の詳細を示す模式図である。
【図４】コマンドデータ通信の例を示すタイミングチャートである。
【図５】ホットライン通信の例を示すタイミングチャートである。
【図６】レンズ着脱検知部１１９が交換レンズ２００の着脱を検知する様子を示したタイミングチャートである。
【図７】本発明を適用した、中間アダプタを含むレンズ交換式のカメラシステムを示した斜視図である。
【図８】本発明を適用した、中間アダプタを含むレンズ交換式のカメラシステムを示した斜視図である。
【発明を実施するための形態】
【０００８】
（第１の実施の形態）
図１は、本発明を適用したレンズ交換式のカメラシステムを示した斜視図である。なお、図１では本発明に係わる機器および装置のみを示し、それ以外の機器および装置については図示と説明を省略する。カメラシステム１は、カメラボディ１００と、カメラボディ１００に着脱可能な交換レンズ２００とから構成される。
【０００９】
カメラボディ１００には交換レンズ２００が着脱可能に取り付けられるボディ側マウント部１０１が設けられている。カメラボディ１００のボディ側マウント部１０１の近傍（ボディ側マウント部１０１の内周側）の位置には、ボディ側マウント部１０１の内周側に部分的に突出する状態で、接点を保持する保持部（電気的な接続部）１０２が設けられている。この保持部１０２には複数の接点が設けられている。
【００１０】
また交換レンズ２００には、ボディ側マウント部１０１に対応し、カメラボディ１００が着脱可能に取り付けられるレンズ側マウント部２０１が設けられている。交換レンズ２００のレンズ側マウント部２０１の近傍（レンズ側マウント部２０１の内周側）の位置には、レンズ側マウント部２０１の内周側に部分的に突出する状態で、接点を保持する保持部（電気的な接続部）２０２が設けられている。この保持部２０２には複数の接点が設けられている。
【００１１】
カメラボディ１００に交換レンズ２００が装着されると、複数の接点が設けられた保持部１０２が、複数の接点が設けられた保持部２０２に電気的に且つ物理的に接続される。両保持部１０２，２０２は、カメラボディ１００から交換レンズ２００への電力供給、および、カメラボディ１００と交換レンズ２００との信号の送受信に利用される。
【００１２】
カメラボディ１００内のボディ側マウント部１０１後方には、例えばＣＭＯＳやＣＣＤなどの撮像素子１０４が設けられる。カメラボディ１００の上方には、入力装置たるボタン１０７が設けられている。ユーザはボタン１０７等の入力装置を用いてカメラボディ１００に撮影指示や撮影条件の設定指示等を行う。
【００１３】
図２は、本発明を適用したレンズ交換式のカメラシステムを示した断面図である。交換レンズ２００は、被写体像を結像させる結像光学系２１０を備える。結像光学系２１０は複数のレンズ２１０ａ〜２１０ｃにより構成されている。これら複数のレンズ２１０ａ〜２１０ｃには、被写体像のピント位置を制御するためのフォーカシングレンズ２１０ｂが含まれている。
【００１４】
交換レンズ２００の内部には、交換レンズ２００の各部の制御を司るレンズ側制御部２０３が設けられている。レンズ側制御部２０３は不図示のマイクロコンピュータおよびその周辺回路等により構成される。レンズ側制御部２０３には、レンズ側第１通信部２１７、レンズ側第２通信部２１８、レンズ駆動部２１２、レンズ位置検出部２１３、ＲＯＭ２１５、およびＲＡＭ２１６が接続されている。
【００１５】
レンズ側第１通信部２１７およびレンズ側第２通信部２１８は、保持部２０２に設けられた各通信接点を介してカメラボディ１００との間で信号の授受を行うことにより、カメラボディ１００とのデータ通信を行う。レンズ駆動部２１２は例えばステッピングモータ等のアクチュエータを有し、レンズ駆動部２１２に入力された信号に応じてフォーカシングレンズ２１０ｂを駆動する。レンズ位置検出部２１３は、例えばレンズ駆動部２１２が有するステッピングモータに入力された信号のパルス数を計数して、フォーカシングレンズ２１０ｂの位置を検出する。あるいは、交換レンズ２００に設けられた周知の距離エンコーダ等を用いてフォーカシングレンズ２１０ｂの位置を検出してもよい。
【００１６】
ＲＯＭ２１５は不揮発性の記憶媒体であり、レンズ側制御部２０３が実行する所定の制御プログラム等が予め記憶される。ＲＡＭ２１６は揮発性の記憶媒体であり、レンズ側制御部２０３により各種データの記憶領域として利用される。
【００１７】
撮像素子１０４の前面には、撮像素子１０４の露光状態を制御するためのシャッター１１５と、光学的ローパスフィルターや赤外線カットフィルターを組み合わせた光学フィルター１１６とが設けられている。結像光学系２１０を透過した被写体光は、シャッター１１５およびフィルター１１６を介して撮像素子１０４に入射する。
【００１８】
カメラボディ１００の内部には、カメラボディ１００の各部の制御を司るボディ側制御部１０３が設けられている。ボディ側制御部１０３は不図示のマイクロコンピュータ、ＲＡＭおよびその周辺回路等により構成される。ボディ側制御部１０３にはボディ側第１通信部１１７、ボディ側第２通信部１１８、およびレンズ着脱検知部１１９が接続されている。
【００１９】
ボディ側第１通信部１１７は保持部１０２に設けられた各通信接点を介して交換レンズ２００内のレンズ側第１通信部２１７との間で信号の授受を行うことにより、レンズ側第１通信部２１７とのデータ通信を行う。同様に、ボディ側第２通信部１１８は保持部１０２に設けられた各通信接点を介して交換レンズ２００内のレンズ側第２通信部２１８との間で信号の授受を行うことにより、レンズ側第２通信部２１８とのデータ通信を行う。レンズ着脱検知部１１９は保持部１０２に設けられた複数の接点のうち後述する特定の接点の信号レベルに基づいて交換レンズ２００の着脱を検知する。
【００２０】
カメラボディ１００の背面には、ＬＣＤパネル等により構成される表示装置１１１が配置される。ボディ側制御部１０３はこの表示装置１１１に対し、撮像素子１０４の出力に基づく被写体の画像（いわゆるスルー画）や、撮影条件等を設定するための各種のメニュー画面を表示する。
【００２１】
（保持部１０２，２０２の説明）
図３は保持部１０２，２０２の詳細を示す模式図である。図３に示すように、保持部１０２はＢＰ１〜ＢＰ１２の１２個の接点を有する。また保持部２０２は、上記の１２個の接点にそれぞれ対応する、ＬＰ１〜ＬＰ１２の１２個の接点を有する。以下、ＢＰ１〜ＢＰ１２をボディ側接点、ＬＰ１〜ＬＰ１２をレンズ側接点と称する。
【００２２】
ボディ側接点ＢＰ１およびＢＰ２は、カメラボディ１００内の第１電源回路１２０に接続されている。第１電源回路１２０は、ボディ側接点ＢＰ１に、レンズ駆動部２１２を除く交換レンズ２００内の各部の動作電圧を供給する。すなわち、ボディ側マウント部１０１およびレンズ側マウント部２０１を介して、カメラボディ１００に交換レンズ２００が装着されている場合には、ボディ側接点ＢＰ１およびレンズ側接点ＬＰ１からは、レンズ駆動部２１２を除く交換レンズ２００内の各部（レンズ側第１通信部２１７およびレンズ側第２通信部２１８を含む）の動作電圧が供給される。ボディ側接点ＢＰ２は、上記の動作電圧に対応する接地端子である。すなわち、ボディ側接点ＢＰ２およびレンズ側接点ＬＰ２は、上記の動作電圧に対応する接地端子である。
【００２３】
以下の説明では、ボディ側接点ＢＰ１およびレンズ側接点ＬＰ１により構成される信号線を、信号線Ｖ３３と呼ぶ。また、ボディ側接点ＢＰ２およびレンズ側接点ＬＰ２により構成される信号線を、信号線ＧＮＤと呼ぶ。
【００２４】
ボディ側接点ＢＰ３，ＢＰ４，ＢＰ５，およびＢＰ６はコマンドデータ通信と称するデータ通信を行うための接点である。これら４つのボディ側接点は、ボディ側第１通信部１１７に接続されている。これら４つの接点にそれぞれ接続されるレンズ側接点ＬＰ３，ＬＰ４，ＬＰ５，およびＬＰ６は、レンズ側第１通信部２１７に接続されている。ボディ側第１通信部１１７とレンズ側第１通信部２１７は、これら４つのボディ側接点および４つのレンズ側接点を介して信号の授受を行うことによりデータ通信を行う。ボディ側第１通信部１１７とレンズ側第１通信部２１７が行うデータ通信（コマンドデータ通信）の内容については、後に詳述する。
【００２５】
ボディ側第１通信部１１７およびレンズ側第１通信部２１７は、各接点から入力される信号の信号レベルが所定の基準レベル（例えば２．０Ｖ）以上であった場合に、当該入力信号が真理値「真」（１、Ｈ、Ｈｉｇｈ等とも称する）を表していると判断する。また、各接点から入力される信号の信号レベルが上記の基準レベルとは別個に設定される所定の基準レベル（例えば０．８Ｖ）以下であった場合に、当該入力信号が真理値「偽」（０、Ｌ、Ｌｏｗ等とも称する）を表していると判断する。ボディ側第２通信部１１８およびレンズ側第２通信部２１８についても同様である。
【００２６】
ボディ側接点ＢＰ６は、カメラボディ１００内においてプルアップ抵抗Ｒ１を介して電源Ｖｃｃ（例えば５Ｖ）に接続されている。すなわち、ボディ側接点ＢＰ６はプルアップされている。他方、レンズ側接点ＬＰ６は、交換レンズ２００内においてプルダウン抵抗Ｒ２を介して接地されている。すなわち、レンズ側接点ＬＰ６はプルダウンされている。
【００２７】
プルアップ抵抗Ｒ１およびプルダウン抵抗Ｒ２の抵抗値は、交換レンズ２００にカメラボディ１００が取り付けられ且つレンズ側第１通信部２１７によるデータ通信が行われて
いない場合に、ボディ側接点ＢＰ６の信号レベルが真理値Ｌに対応する信号レベル（例えば０．８Ｖ以下の信号レベル）になるよう定められる。例えば、Ｒ１＝１０ｋΩ、Ｒ２＝１００Ωである。
【００２８】
また、ボディ側マウント部１０１に交換レンズ２００が取り付けられていない場合には、ボディ側接点ＢＰ６の信号レベルが真理値Ｈに対応する信号レベル（例えば２．０Ｖ以上）になる。これは、ボディ側接点ＢＰ６がプルアップされていることによる。
【００２９】
ボディ側接点ＢＰ６にはレンズ着脱検知部１１９が接続されている。レンズ着脱検知部１１９は、ボディ側接点ＢＰ６の信号レベルに基づいて交換レンズ２００の着脱を検知する。レンズ着脱検知部１１９による着脱の検知については後に詳述する。
【００３０】
なお以下の説明では、ボディ側接点ＢＰ３およびレンズ側接点ＬＰ３により構成される信号線を、信号線ＣＬＫと呼ぶ。同様に、ボディ側接点ＢＰ４およびレンズ側接点ＬＰ４により構成される信号線を信号線ＢＤＡＴと、ボディ側接点ＢＰ５およびレンズ側接点ＬＰ５により構成される信号線を信号線ＬＤＡＴと、ボディ側接点ＢＰ６およびレンズ側接点ＬＰ６により構成される信号線を信号線ＲＤＹと呼ぶ。
【００３１】
ボディ側接点ＢＰ７，ＢＰ８，ＢＰ９，およびＢＰ１０はホットライン通信と称するデータ通信を行うための接点である。これら４つのボディ側接点は、ボディ側第２通信部１１８に接続されている。これら４つの接点にそれぞれ接続されるレンズ側接点ＬＰ７，ＬＰ８，ＬＰ９，およびＬＰ１０は、レンズ側第２通信部２１８に接続されている。ボディ側第２通信部１１８とレンズ側第２通信部２１８は、これら４つのボディ側接点および４つのレンズ側接点を介して信号の授受を行うことによりデータ通信を行う。ボディ側第２通信部１１８とレンズ側第２通信部２１８が行うデータ通信（ホットライン通信）の内容については、後に詳述する。
【００３２】
なお以下の説明では、ボディ側接点ＢＰ７およびレンズ側接点ＬＰ７により構成される信号線を、信号線ＨＲＥＱと呼ぶ。同様に、ボディ側接点ＢＰ８およびレンズ側接点ＬＰ８により構成される信号線を信号線ＨＡＮＳと、ボディ側接点ＢＰ９およびレンズ側接点ＬＰ９により構成される信号線を信号線ＨＣＬＫと、ボディ側接点ＢＰ１０およびレンズ側接点ＬＰ１０により構成される信号線を信号線ＨＤＡＴと呼ぶ。
【００３３】
ボディ側接点ＢＰ１１およびＢＰ１２は、カメラボディ１００内の第２電源回路１２１に接続されている。第２電源回路１２１は、ボディ側接点ＢＰ１２に、レンズ駆動部２１２の駆動電圧を供給する。すなわち、ボディ側接点ＢＰ１２およびレンズ側接点ＬＰ１２からは、レンズ駆動部２１２の駆動電圧が供給される。ボディ側接点ＢＰ１１は、上記の駆動電圧に対応する接地端子である。すなわち、ボディ側接点ＢＰ１１およびレンズ側接点ＬＰ１１の電圧は、上記の駆動電圧に対応する接地電圧である。
【００３４】
以下の説明では、ボディ側接点ＢＰ１１およびレンズ側接点ＬＰ１１により構成される信号線を、信号線ＰＧＮＤと呼ぶ。また、ボディ側接点ＢＰ１２およびレンズ側接点ＬＰ１２により構成される信号線を、信号線ＢＡＴと呼ぶ。
【００３５】
なお、ボディ側接点ＢＰ１１およびレンズ側接点ＬＰ１１を流れる電流の最大値と最小値との差は、ボディ側接点ＢＰ２およびレンズ側接点ＬＰ２を流れる電流の最大値と最小値との差よりも大きくなっている。これは、アクチュエータ等の駆動系を有するレンズ駆動部２１２が消費する電力が、交換レンズ２００内のレンズ側制御部２０３等の電子回路に比べて大きいこと、ならびに、フォーカシングレンズ２１０ｂを駆動する必要がない場合にはレンズ駆動部２１２が電力を消費しないことに拠る。
【００３６】
（コマンドデータ通信の説明）
レンズ側第１通信部２１７は、レンズ側接点ＬＰ３〜ＬＰ６、すなわち信号線ＣＬＫ，ＢＤＡＴ，ＬＤＡＴ，およびＲＤＹを介して、ボディ側第１通信部１１７とのデータ通信を行う。このデータ通信は例えば１６ミリ秒毎に繰り返し行われる。また、このデータ通信では、ボディ側第１通信部１１７からの制御データの受信とボディ側第１通信部１１７への応答データの送信とが並行して行われる。以下、レンズ側第１通信部２１７とボディ側第１通信部１１７との間で行われる通信の詳細を説明する。
【００３７】
なお、本実施形態において、レンズ側第１通信部２１７とボディ側第１通信部１１７との間で行われる通信をコマンドデータ通信と称する。
【００３８】
図４は、コマンドデータ通信の例を示すタイミングチャートである。ボディ側第１通信部１１７およびレンズ側第１通信部２１７がデータ通信を行っていない場合（図４の時刻Ｔ１より前）、信号線ＲＤＹの信号レベルは、真理値Ｌに対応する信号レベルとなっている。
【００３９】
ボディ側第１通信部１１７はコマンドデータ通信の開始時（Ｔ１）、まず信号線ＲＤＹの信号レベルを確認する。信号線ＲＤＹの信号レベルはレンズ側第１通信部２１７の通信可否を表している。すなわち、レンズ側第１通信部２１７は、レンズ側接点ＬＰ６に、レンズ側第１通信部２１７がデータ通信を行える状態か否かを表す信号を送信する。この信号は、データ信号でもクロック信号でもない信号である。レンズ側第１通信部２１７がデータ通信を行えない状態であれば、レンズ側接点ＬＰ６からはＨ（Ｈｉｇｈ）レベルの信号が出力される。ボディ側第１通信部１１７は、信号線ＲＤＹがＨレベルである場合、これがＬレベルになるまで通信を開始しない。また、通信中の次の処理を実行しない。
【００４０】
信号線ＲＤＹがＬ（Ｌｏｗ）レベルであれば、ボディ側第１通信部１１７はボディ側接点ＢＰ３からクロック信号４０１を出力する。ボディ側第１通信部１１７はこのクロック信号４０１に同期して、ボディ側接点ＢＰ４から制御データの前半部分であるボディ側コマンドパケット信号４０２を出力する。また、信号線ＣＬＫにクロック信号４０１が出力されると、レンズ側第１通信部２１７はクロック信号４０１に同期してレンズ側接点ＬＰ５から応答データの前半部分であるレンズ側コマンドパケット信号４０３を出力する。  
【００４１】
レンズ側第１通信部２１７は、レンズ側コマンドパケット信号４０３の送信完了に応じて、信号線ＲＤＹの信号レベルをＨレベルにする（Ｔ２）。レンズ側制御部２０３は、受信したボディ側コマンドパケット信号４０２の内容に応じた処理である第１制御処理４０４を開始する。例えば受信したボディ側コマンドパケット信号４０２が特定のデータを要求する内容であった場合、レンズ側制御部２０３は第１制御処理４０４として、当該データを生成する処理を実行する。
【００４２】
レンズ側制御部２０３は第１制御処理４０４が完了すると、レンズ側第１通信部２１７に第１制御処理４０４の完了を通知する。レンズ側第１通信部２１７はこの通知に応じて、レンズ側接点ＬＰ６からＬレベルの信号を出力する（Ｔ３）。ボディ側第１通信部１１７はこの信号レベルの変化に応じて、ボディ側接点ＢＰ３からクロック信号４０５を出力する。ボディ側第１通信部１１７はこのクロック信号４０５に同期して、ボディ側接点ＢＰ４から制御データの後半部分であるボディ側データパケット信号４０６を出力する。また、信号線ＣＬＫにクロック信号４０５が出力されると、レンズ側第１通信部２１７はクロック信号４０５に同期してレンズ側接点ＬＰ５から応答データの後半部分であるレンズ側データパケット信号４０７を出力する。
【００４３】
レンズ側第１通信部２１７は、レンズ側データパケット信号４０７の送信完了に応じて、信号線ＲＤＹの信号レベルを再びＨレベルにする（Ｔ４）。レンズ側制御部２０３は、受信したボディ側コマンドパケット信号４０２およびボディ側データパケット信号４０６の内容に応じた処理である第２制御処理４０８を開始する。例えば受信したボディ側コマンドパケット信号４０２が、フォーカシングレンズ２１０ｂの駆動指示であり、受信したボディ側データパケット信号４０６がフォーカシングレンズ２１０ｂの駆動量であった場合、レンズ側制御部２０３は第２制御処理４０８として、フォーカシングレンズ２１０ｂを当該駆動量だけ駆動する処理を実行する。
【００４４】
レンズ側制御部２０３は第２制御処理４０８が完了すると、レンズ側第１通信部２１７に第２制御処理４０８の完了を通知する。レンズ側第１通信部２１７はこの通知に応じて、レンズ側接点ＬＰ６からＬレベルの信号を出力する（Ｔ５）。
【００４５】
上述した時刻Ｔ１〜時刻Ｔ５に行われた通信が、１回のコマンドデータ通信である。上述のように、１回のコマンドデータ通信では、ボディ側制御部１０３およびボディ側第１通信部１１７により、ボディ側コマンドパケット信号４０２およびボディ側データパケット信号４０６がそれぞれ１つずつ送信される。すなわち、処理の都合上２つに分割されて送信されるものの、ボディ側コマンドパケット信号４０２およびボディ側データパケット信号４０６は２つ合わせて１つの制御データを構成する。
【００４６】
同様に、１回のコマンドデータ通信では、レンズ側制御部２０３およびレンズ側第１通信部２１７によりレンズ側コマンドパケット信号４０３およびレンズ側データパケット信号４０７がそれぞれ１つずつ送信される。すなわち、レンズ側コマンドパケット信号４０３およびレンズ側データパケット信号４０７は２つ合わせて１つの応答データを構成する。
【００４７】
以上のように、レンズ側第１通信部２１７は、ボディ側第１通信部１１７からの制御データの受信と、ボディ側第１通信部１１７への応答データの送信とを並行して行う。
【００４８】
上述したように、コマンドデータ通信に用いられる４つの信号線（ＣＬＫ、ＢＤＡＴ、ＬＤＡＴ、ＲＤＹ）には、レンズ側第１通信部２１７およびボディ側第１通信部１１７により種々の信号が出力される。図４を参照すれば明らかな通り、これらの信号のうちで信号レベルの変化が最も少ない信号は、レンズ側第１通信部２１７により信号線ＲＤＹに出力される信号である。すなわち、レンズ側第１通信部２１７は、カメラボディ１００とのコマンドデータ通信において、４つのレンズ側接点ＬＰ３〜ＬＰ６のうちレンズ側接点ＬＰ６の信号レベルの変化が最も少なくなるようレンズ側接点ＬＰ３〜ＬＰ６を制御する。
【００４９】
なお、上述した第１制御処理４０４および第２制御処理４０８に関しては、徒にカメラ全体の処理が滞らないよう、それらの制御処理に要する時間に対して、所定の規定（制限／上限）時間が、レンズ側制御部２０３のメモリ内に予め設けられている。コマンドデータ通信において、レンズ側で行われる制御処理（作業）は、通常（レンズ側が正常動作している場合）であれば、約数百マイクロ秒〜数ミリ秒程度で終えるよう構成されている。このため上記の規定時間として、コマンドデータ通信におけるレンズ側での作業時間に、ある程度のマージン時間を加えた時間が、設定されている。本実施形態では、この規定時間として、例えば、数１０ミリ秒〜数１００ミリ秒の範囲の中で、適切な値にチューニングされている。つまり、レンズ側制御部２０３は、図４に示した期間Ｔ２３およびＴ４５が上記の規定時間を上回らないように制御する。換言すると、レンズ側第１通信部２１７は、レンズ側マウント部２０１にカメラボディ１００が取り付けられている間（換言すれば、カメラボディ１００からレンズ制御部２０３に対して動作電力が供給されている間）は、レンズ側接点ＬＰ６の信号レベルが上記の規定時間以上連続して真理値Ｈに対応する信号レベルにならないようにレンズ側接点ＬＰ６を制御する。
【００５０】
（ホットライン通信の説明）
レンズ側第２通信部２１８は、レンズ側接点ＬＰ７〜ＬＰ１０、すなわち信号線ＨＲＥＱ，ＨＡＮＳ，ＨＣＬＫ，およびＨＤＡＴを介して、ボディ側第２通信部１１８へレンズ位置データを送信する。以下、レンズ側第２通信部２１８とボディ側第２通信部１１８との間で行われる通信の詳細を説明する。
【００５１】
なお、本実施形態において、レンズ側第２通信部２１８とボディ側第２通信部１１８との間で行われる通信をホットライン通信と称する。
【００５２】
図５は、ホットライン通信の例を示すタイミングチャートである。本実施形態のボディ側制御部１０３は、ホットライン通信を第２の所定周期Ｔｎ（本実施形態では例えば１ミリ秒）毎に開始するように構成されている。この周期は、コマンドデータ通信を行う周期よりも短い。図５（ａ）は、ホットライン通信が所定周期Ｔｎ毎に繰り返し実行されている様子を示す図である。繰り返し実行されるホットライン通信のうち、ある１回の通信の期間Ｔｘを拡大した様子が図５（ｂ）に示されている。以下、図５（ｂ）のタイミングチャートに基づいて、ホットライン通信の手順を説明する。
【００５３】
ボディ側第２通信部１１８はホットライン通信の開始時（Ｔ６）、まずボディ側接点ＢＰ７からＬレベルの信号を出力する。レンズ側第２通信部２１８は、この信号がレンズ側接点ＬＰ７に入力されたことをレンズ側制御部２０３に通知する。レンズ側制御部２０３はこの通知に応じて、レンズ位置データを生成する生成処理５０１の実行を開始する。生成処理５０１とは、レンズ側制御部２０３がレンズ位置検出部２１３にフォーカシングレンズ２１０ｂの位置を検出させ、検出結果を表すレンズ位置データを生成する処理である。
【００５４】
レンズ側制御部２０３が生成処理５０１を実行完了すると、レンズ側第２通信部２１８はレンズ側接点ＬＰ８からＬレベルの信号を出力する（Ｔ７）。ボディ側第２通信部１１８は、この信号がボディ側接点ＢＰ８に入力されたことに応じて、ボディ側接点ＢＰ９からクロック信号５０２を出力する。レンズ側第２通信部２１８はこのクロック信号５０２に同期して、レンズ側接点ＬＰ１０からレンズ位置データを表すレンズ位置データ信号５０３を出力する。
【００５５】
レンズ位置データ信号５０３の送信が完了すると、レンズ側第２通信部２１８はレンズ側接点ＬＰ８からＨレベルの信号を出力する（Ｔ８）。ボディ側第２通信部１１８は、この信号がボディ側接点ＢＰ８に入力されたことに応じて、レンズ側接点ＬＰ７からＨレベルの信号を出力する（Ｔ９）。
【００５６】
上述した時刻Ｔ６〜時刻Ｔ９に行われた通信が、１回のホットライン通信である。上述のように、１回のホットライン通信では、レンズ側制御部２０３およびレンズ側第２通信部２１８により、レンズ位置データ信号５０３が１つ送信される。
【００５７】
ホットライン通信に用いられる４つのレンズ側接点ＬＰ７〜ＬＰ１０のうち、レンズ側接点ＬＰ７、ＬＰ８には、クロック信号でもデータ信号でもない信号が出力される。これら２つのレンズ側接点の信号レベルの変化は、コマンドデータ通信に用いられるレンズ側接点ＬＰ６よりも多くなる。これは、ホットライン通信がコマンドデータ通信に比べてより短い周期で実行されるためである。
【００５８】
例えばコマンドデータ通信が１６ミリ秒毎に、ホットライン通信が１ミリ秒毎にそれぞれ実行されるとしたとき、レンズ側接点ＬＰ６の信号レベルの変化は１６ミリ秒につき４
回となる。他方、ホットライン通信は例えば１ミリ秒毎に実行され、レンズ側接点ＬＰ７、ＬＰ８における１回の通信当たりの信号レベルの変化はそれぞれ２回であるので、１６ミリ秒につき信号レベルがそれぞれ３２回変化することとなる。
【００５９】
換言すると、レンズ側第１通信部２１７は、カメラボディ１００とのコマンドデータ通信およびホットライン通信において、レンズ側接点ＬＰ３〜ＬＰ１０のうちレンズ側接点ＬＰ６の信号レベルの変化が最も少なくなるようレンズ側接点ＬＰ３〜ＬＰ６を制御する。
【００６０】
なお、コマンドデータ通信とホットライン通信は同時並行的に実行することが可能である。すなわち、レンズ側第１通信部２１７とレンズ側第２通信部２１８との一方は、その他方がカメラボディ１００と通信を行っている場合であってもカメラボディ１００と通信を行うことが可能である。
【００６１】
（交換レンズの着脱検知の説明）
図６（ａ）は、レンズ着脱検知部１１９が交換レンズ２００の装着を検知する様子を示したタイミングチャートである。カメラボディ１００に交換レンズ２００が取り付けられていない場合、ボディ側接点ＢＰ６がプルアップされているため（図３）、ボディ側接点ＢＰ６の信号レベルは真理値Ｈに対応する信号レベルとなる。ここで交換レンズ２００が取り付けられると、レンズ側接点ＬＰ６がプルダウンされているため（図３）、ボディ側接点ＢＰ６の信号レベルは真理値Ｌに対応する信号レベルになる（Ｔ１０）。レンズ着脱検知部１１９はこのように、ボディ側接点ＢＰ６の信号レベルが真理値Ｌに対応する信号レベルになった場合に交換レンズ２００の取り付けを検知する。そしてボディ側制御部１０３は、交換レンズ２００のカメラボディ１００への取り付けを検知すると、交換レンズ２００への給電を開始し、また交換レンズ２００との間の通信動作を開始する。
【００６２】
図６（ｂ）は、レンズ着脱検知部１１９が交換レンズ２００の取り外しを検知する様子を示したタイミングチャートである。カメラボディ１００から交換レンズ２００が取り外されると、ボディ側接点ＢＰ６の信号レベルは再び真理値Ｈに対応する信号レベルとなる（Ｔ１１）。この時点ではレンズ着脱検知部１１９は、この信号レベルの変化が、レンズ側第１通信部２１７が信号線ＲＤＹに信号を出力したことによって引き起こされたものなのか、あるいは交換レンズ２００が取り外されたことによって引き起こされたものなのかを区別することができない。
【００６３】
レンズ着脱検知部１１９は、ボディ側接点ＢＰ６の信号レベルが真理値Ｈに対応する信号レベルとなったとき、ボディ側接点ＢＰ６の信号レベルがそのような信号レベルを上述の規定時間（図４での説明にて既述）以上維持するか否かを見極める。
【００６４】
仮に時刻Ｔ１１において発生した信号レベルの変化がレンズ側第１通信部２１７によるものであるとすれば、時刻Ｔ１１から上記の規定時間が経過する前に、ボディ側接点ＢＰ６の信号レベルは真理値Ｌに対応する信号レベルに戻るはずである。他方、ボディ側接点ＢＰ６の信号レベルが上記の規定時間を経過してもなお真理値Ｈに対応する信号レベルのままであったとすれば、これは交換レンズ２００が取り外されたことによる信号レベルの変化であると判断することができる。従ってレンズ着脱検知部１１９は、時刻Ｔ１１から所定時間Ｔ１１１２が経過した時刻Ｔ１２において、交換レンズ２００の取り外しを検知する。
【００６５】
レンズ着脱検知部１１９はこのように、ボディ側接点ＢＰ６の信号レベルが、上述の規定時間以上連続して真理値Ｈに対応する信号レベルであった場合に、交換レンズ２００の取り外しを検知する。なお本実施形態では、レンズ着脱検知部１１９が、交換レンズの取り外しを検知（判断）するための判断基準となる期間（時間）である、ボディ側接点ＢＰ６の信号レベルが真理値Ｈに対応する信号レベルを維持（継続）する期間を、「規定時間以上」としている。この「規定時間以上」とは、上記規定時間そのものであっても良いし、上記規定時間よりも長め（例えば規定時間の数倍程度くらいまで）であっても良い。
【００６６】
なお、ボディ側接点ＢＰ６の信号レベルが、上記規定時間以上連続して真理値Ｈに対応する信号レベルになるケースとしては、上述の交換レンズ２００の取外し以外のケースも考えられる。例えば、交換レンズは装着したままであるが交換レンズ側がハングアップしているようなケースや、或いは通信接点不良のケースなどである。カメラボディ１００のボディ側制御部１０３としては、何れの理由（要因）に基づくケースであっても、ボディ側接点ＢＰ６の信号レベルが上記規定時間以上連続して真理値Ｈに対応する信号レベルになっていることを検知すると、交換レンズ２００への給電を遮断する処理を行う。
【００６７】
これにより上述のハングアップや通信接点不良などのケースで、交換レンズ側の信号線ＲＤＹの信号レベルがＨレベルに維持され続けている場合であっても、カメラ側から交換レンズ側への給電が一旦オフされるため、これによりレンズ側制御部２０３の動作が停止し、レンズ側接点ＬＰ６はプルダウン抵抗Ｒ２を介してレベルになる。つまり交換レンズ側の信号線ＲＤＹの信号レベルがＬレベルになるので、カメラボディ１００は図６（ａ）で説明したのと同様の振る舞いをする。すなわち、カメラボディ側のレンズ着脱検知部１１９は、交換レンズが再装着された状態になったと認識し、そしてボディ側制御部１０３が交換レンズ２００への給電や通信を開始する。
【００６８】
上述した第１の実施の形態によるカメラシステムによれば、次の作用効果が得られる。（１）交換レンズ２００は、レンズ側接点ＬＰ３〜ＬＰ６を介してカメラボディ１００との間で信号の授受を行うことによりカメラボディ１００とのデータ通信を行うレンズ側第１通信部２１７を備える。レンズ側接点ＬＰ６は、カメラボディ１００が着脱検知に用いるボディ側接点ＢＰ６に接続され、レンズ側第１通信部２１７は、レンズ側接点ＬＰ６にデータ信号でもクロック信号でもない信号を出力すると共に、レンズ側マウント部２０１にカメラボディ１００が取り付けられている場合、ボディ側接点ＢＰ６の信号レベルが所定時間以上連続して真理値Ｈに対応する信号レベルにならないようにレンズ側接点ＬＰ６を制御する。レンズ側接点ＬＰ６は、カメラボディ１００が取り付けられ且つレンズ側第１通信部２１７によるデータ通信が行われていない場合、ボディ側接点ＢＰ６の信号レベルが真理値Ｌに対応する信号レベルになるよう構成される。このようにしたので、簡易な通信手順のままでレンズの着脱検知を行うことができる。
【００６９】
（２）カメラボディ１００は、ボディ側接点ＢＰ３〜ＢＰ６を介して交換レンズ２００との間で信号の授受を行うことにより交換レンズ２００とのデータ通信を行うボディ側第１通信部１１７と、ボディ側接点ＢＰ６の信号レベルに基づいて交換レンズ２００の着脱を検知するレンズ着脱検知部１１９とを備える。ボディ側接点ＢＰ６は、レンズ側接点ＬＰ３〜ＬＰ６のうち、データ信号でもクロック信号でもない信号が交換レンズ２００から出力されるレンズ側接点ＬＰ６に接続されると共に、ボディ側マウント部１０１に交換レンズ２００が取り付けられていない場合には信号レベルが真理値Ｈに対応する信号レベルになり、ボディ側マウント部１０１に交換レンズ２００が取り付けられ且つボディ側第１通信部１１７による通信が行われていない場合には信号レベルが真理値Ｌに対応する信号レベルになるよう構成される。ボディ側第１通信部１１７は、ボディ側マウント部１０１に交換レンズ２００が取り付けられている場合、ボディ側接点ＢＰ６を介して、所定時間以上連続して真理値Ｈに対応する信号レベルになることのない信号を受信し、レンズ着脱検知部１１９は、ボディ側接点ＢＰ６の信号レベルが所定時間以上連続して真理値Ｈに対応する信号レベルであった場合に交換レンズ２００の取り外しを検知すると共に、ボディ側接点ＢＰ６の信号レベルが真理値Ｌに対応する信号レベルになった場合に交換レンズ２００の取り付けを検知する。このようにしたので、簡易な通信手順のままでレンズの着脱検知を行うことができる。
【００７０】
（３）レンズ側第１通信部２１７は、カメラボディ１００とのデータ通信において、レン
ズ側接点ＬＰ３〜ＬＰ６のうちレンズ側接点ＬＰ６の信号レベルの変化が最も少なくなるようレンズ側接点ＬＰ３〜ＬＰ６を制御する。このようにしたので、レンズ側第１通信部２１７とレンズ側接点ＬＰ３〜ＬＰ６との回路設計が容易になる。
【００７１】
（４）交換レンズ２００は、カメラボディ１００がホットライン通信のために有するボディ側接点ＢＰ７〜ＢＰ１０にそれぞれ接続されるレンズ側接点ＬＰ７〜ＬＰ１０と、レンズ側接点ＬＰ７〜ＬＰ１０を介してカメラボディ１００とのデータ通信を行うレンズ側第２通信部２１８とを備える。レンズ側第２通信部２１８は、カメラボディ１００とのデータ通信において、レンズ側接点ＬＰ３〜ＬＰ１０のうちレンズ側接点ＬＰ６の信号レベルの変化が最も少なくなるようレンズ側接点ＬＰ３〜ＬＰ６を制御する。このようにしたので、レンズ側第１通信部２１７およびレンズ側第２通信部２１８の回路設計が容易になる。
【００７２】
（５）レンズ側接点ＬＰ６は、交換レンズ２００内においてプルダウン抵抗Ｒ２を介して接地される。このようにしたので、カメラボディ１００への交換レンズ２００の装着時にボディ側接点ＢＰ６の信号レベルが真理値Ｌに対応する信号レベルに変化し、レンズ着脱検知部１１９による装着検知が可能となる。
【００７３】
（第２の実施の形態）
図７は、第２の実施の形態に係るカメラシステムを示した斜視図である。本実施形態のカメラシステム２は、カメラボディ１００と、カメラボディ１００に着脱可能な中間アダプタ７００と、中間アダプタ７００に着脱可能な交換レンズ６００とから構成される。なお、以下の説明において、第１の実施の形態と同一の部材等については第１の実施の形態と同一の符号を付し、説明を省略する。
【００７４】
交換レンズ６００は、カメラボディ１００とはマウント規格の異なるカメラボディに着脱可能な交換レンズである。すなわち、交換レンズ６００のレンズ側マウント部６０１は、カメラボディ１００のボディ側マウント部１０１とはマウント規格が異なっているために取り付けることはできない。また、交換レンズ６００のレンズ側マウント部６０１近傍には、複数の接点が設けられた保持部６０２が、図１に示した交換レンズ２００と同様に存在するが、その形状はカメラボディ１００が有する保持部１０２とは異なっている。
【００７５】
中間アダプタ７００は、以上のような交換レンズ６００をカメラボディ１００に装着するためのマウントアダプタである。具体的には、中間アダプタ７００の筐体は円筒形の形状を有している。中間アダプタ７００の一方の側面には、ボディ側マウント部１０１に対応する（ボディ側マウント部１０１に対応するマウント規格である）第１マウント部７０１が設けられている。中間アダプタ７００の他方の側面には、レンズ側マウント部６０１に対応する（レンズ側マウント部６０１に対応するマウント規格である）第２マウント部７０３が設けられている。なお、筐体の形状は円筒形の形状に限られるものではなく、他の形状でもよい。第１マウント部７０１は、カメラボディ１００のボディ側マウント部１０１に着脱可能に取り付けることができる。また、第２マウント部７０３は、交換レンズ６００のレンズ側マウント部６０１に着脱可能に取り付けることができる。
【００７６】
中間アダプタ７００の第１マウント部７０１の近傍（第１マウント部７０１の内周側）の位置には、第１の実施の形態に係る交換レンズ２００と同様に、第１マウント部７０１の内周側に部分的に突出する状態で、接点を保持する保持部７０２が設けられている。この保持部７０２には複数の接点が設けられている。カメラボディ１００に中間アダプタ７００が装着されると、複数の接点が設けられた保持部７０２が、複数の接点が設けられた保持部１０２に電気的に且つ物理的に接続される。第１マウント部７０１および保持部７０２はそれぞれ、第１の実施の形態に係るレンズ側マウント部２０１および保持部２０２と同様の構成となっているので、これ以上の説明を省略する。
【００７７】
また、中間アダプタ７００の第２マウント部７０３の近傍（第２マウント部７０３の内周側）の位置には、第２マウント部７０３の内周側に部分的に突出する状態で、接点を保持する保持部７０４が設けられている。この保持部７０４には複数の接点が設けられている。交換レンズ６００のレンズ側マウント部６０１の近傍の位置には、接点を保持する保持部６０２が設けられている。この保持部６０２には複数の接点が設けられている。中間アダプタ７００に交換レンズ６００が装着されると、複数の接点が設けられた保持部６０２が、複数の接点が設けられた保持部７０４に電気的に且つ物理的に接続される。
【００７８】
カメラボディ１００は、第１の実施の形態において交換レンズ２００の着脱検知を行っていたのと同様に、中間アダプタ７００の着脱検知を行う。つまり、中間アダプタ７００の保持部７０２に設けられた各接点の構成は、第１の実施の形態に係る交換レンズ２００の保持部２０２に設けられた各接点と同様に構成されている。例えば、保持部７０２には第１の実施の形態で説明したように、レンズ側接点ＬＰ１〜ＬＰ１２が設けられている。中間アダプタ７００が取り付けられると、保持部７０２に設けられたレンズ側接点ＬＰ６がプルダウンされているため、ボディ側接点ＢＰ６の信号レベルは真理値Ｌに対応する信号レベルになる。レンズ着脱検知部１１９はこのように、ボディ側接点ＢＰ６の信号レベルが真理値Ｌに対応する信号レベルになった場合に中間アダプタ７００の取り付けを検知する。そしてボディ側制御部１０３は、中間アダプタ７００のカメラボディ１００への取り付けを検知すると、中間アダプタ７００への給電を開始し、また中間アダプタ７００との間の通信動作を開始する。中間アダプタ７００は、保持部７０４に設けられた各通信接点を介して、交換レンズ６００とカメラボディ１００との通信を仲介する。
【００７９】
更に、中間アダプタ７００は、不図示のアダプタ制御部を有している。このアダプタ制御部は、上記交換レンズ２００のレンズ制御部２０３と同様に、ボディ制御部１０３との間で通信動作を行うものである、またアダプタ制御部は中間アダプタ７００内に設けられている被駆動部材（例えば交換レンズ６００内に設けられている絞り羽根を駆動するための絞り駆動レバー）の駆動制御を行ったりするものである。そしてアダプタ制御部は更に、中間アダプタ７００がカメラボディ１００に装着されている間は、上記交換レンズ２００のレンズ側接点ＬＰ６の信号レベルに対して行われる制御と同様の制御を行う。すなわち、アダプタ制御部は、第１マウント部７０１にカメラボディ１００が取り付けられている間は、レンズ側接点ＬＰ６に対応する中間アダプタの接点の信号レベルが、上記の規定時間以上連続して真理値Ｈに対応する信号レベルにならないように、レンズ側接点ＬＰ６に対応する中間アダプタの接点を制御する。
【００８０】
また、カメラボディ１００から中間アダプタ７００が取り外されると、ボディ側接点ＢＰ６の信号レベルは再び真理値Ｈに対応する信号レベルとなる。レンズ着脱検知部１１９は、前述の規定時間を経過してもなおボディ側接点ＢＰ６の信号レベルが真理値Ｈに対応する信号レベルのままであった場合には、交換レンズ２００の取り外しを検知する。
【００８１】
上述した第２の実施の形態によるカメラシステムによれば、第１の実施の形態と同様の作用効果を、中間アダプタにおいても得ることができる。
【００８２】
次のような変形も本発明の範囲内であり、変形例の一つ、もしくは複数を上述の実施形態と組み合わせることも可能である。
【００８３】
（変形例１）
ホットライン通信において、レンズ側第２通信部２１８がレンズ位置データ以外のデータを送信するようにしてもよい。例えば、絞りの口径に関するデータや、ぶれ補正レンズの位置に関するデータを送信するようにしてもよい。
【００８４】
（変形例２）
マニュアルフォーカスレンズなど、フォーカシングレンズ２１０ｂの位置が不要な場合には、レンズ側接点ＬＰ７〜ＬＰ１０およびレンズ側第２通信部２１８を省いてもよい。レンズ着脱検知部１１９はボディ側接点ＢＰ６により交換レンズ２００の着脱検知を行うので、ホットライン通信に用いられるこれらのレンズ側接点ＬＰ７〜ＬＰ１０が存在しない場合であっても正しく着脱検知を行うことが可能である。
【００８５】
（変形例３）
上述の実施形態で示した構成とは異なる構成を有するレンズ交換可能なカメラシステムにも、本発明を適用することが可能である。例えばカメラボディ内にミラーを有する、いわゆる一眼レフレックスカメラにも本発明を適用することができ、上述の実施形態と同様の効果を奏することが可能である。
【００８６】
（変形例４）
第２の実施の形態において、中間アダプタは、所定の光学系を有する、いわゆるワイドコンバータ（ワイコン）やテレコンバータ（テレコン）であってもよい。そのような構成の一例として、図８にカメラシステム３を示す。カメラシステム３に含まれる中間アダプタ８００は、第１の実施の形態に係るカメラボディ１００と交換レンズ２００との間に装着され、カメラボディ１００に対応する第３マウント部８０１と、交換レンズ２００に対応する第４マウント部８０３とを有し、交換レンズ２００の光学系の焦点距離を所定の倍率だけ長くする。このような中間アダプタ８００にも、本発明を適用することが可能である。
【００８７】
なお、図８において、第３マウント部８０１の近傍には、カメラボディ１００の保持部１０２と接続される保持部８０２が設けられている。また、第４マウント部８０３の近傍には、交換レンズ２００の保持部２０２と接続される保持部８０４が設けられている。この場合、保持部８０２の各接点を、当該接点に入力（出力）された信号が、保持部８０４の対応する各接点にスルー出力（入力）されるように構成してもよい。あるいは、中間アダプタ８００内の不図示のマイクロプロセッサ（制御部）が、一方の保持部において通信を行った後、その結果を他方の保持部において通信を行うことにより返すように構成してもよい。この場合、保持部８０２の各接点は、第１の実施の形態における保持部２０２と同様に構成される。例えば、着脱検知に用いられる端子は中間アダプタ８００の内部でプルダウン抵抗を介して接地され、中間アダプタ８００内のマイクロプロセッサが第１の実施の形態と同様にこの端子を制御する。更に中間アダプタ８００内のマイクロプロセッサは、第３マウント部８０１にカメラボディ１００が取り付けられている間は、レンズ側接点ＬＰ６に対応する中間アダプタ８００の接点の信号レベルが、上記の規定時間以上連続して真理値Ｈに対応する信号レベルにならないように、レンズ側接点ＬＰ６に対応する中間アダプタ８００の接点を制御する。
【００８８】
（変形例５）
上述した各実施の形態では、本発明をカメラボディに着脱可能な交換レンズや中間アダプタ等に適用していた。本発明は、カメラボディに着脱可能な、交換レンズや中間アダプタ以外のアクセサリーに対しても適用することが可能である。
【００８９】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００９０】
１、２、３…カメラシステム、１００…カメラボディ、１０１…ボディ側マウント部、１０２、２０２、６０２、７０２、７０４、８０２、８０４…保持部、１０３…ボディ側制御部、１１７…ボディ側第１通信部、１１８…ボディ側第２通信部、１１９…レンズ着脱検知部、２００、６００…交換レンズ、２０１、６０１…レンズ側マウント部、２０３…レンズ側制御部、２１７…レンズ側第１通信部、２１８…レンズ側第２通信部、７００、８００…中間アダプタ
【図１】
2012189980.tif 000003
【図２】
2012189980.tif 000004
【図３】
2012189980.tif 000005
【図４】
2012189980.tif 000006
【図５】
2012189980.tif 000007
【図６】
2012189980.tif 000008
【図７】
2012189980.tif 000009
【図８】
2012189980.tif 000010
【手続補正書】
【提出日】平成23年12月28日(2011.12.28)
【手続補正１】
【補正対象書類名】特許請求の範囲
【補正対象項目名】全文
【補正方法】変更
【補正の内容】
【特許請求の範囲】
【請求項１】
第１ボディ接点と、第２ボディ接点と、第３ボディ接点と、第４ボディ接点と、第５ボディ接点とを備え、前記第５ボディ接点の信号レベルが所定時間以上連続して第１の真理値に対応する信号レベルである場合にはアクセサリーが取り外されていることを検知するカメラボディに対し、着脱可能なアクセサリーであって、
前記カメラボディに対して着脱可能に取り付けられる取付手段と、
前記カメラボディに装着されているときに前記第１ボディ接点に接続され、前記カメラボディから動作電圧の供給を受ける第１アクセサリー接点と、
前記カメラボディに装着されているときに前記第２ボディ接点に接続され、前記カメラボディから出力されたクロック信号が入力される第２アクセサリー接点と、
前記カメラボディに装着されているときに前記第３ボディ接点に接続され、前記カメラボディから第１データ信号が入力される第３アクセサリー接点と、
前記カメラボディに装着されているときに前記第４ボディ接点に接続され、前記カメラボディに対して第２データ信号が出力される第４アクセサリー接点と、
前記カメラボディに装着されているときに前記第５ボディ接点に接続され、前記第３アクセサリー接点を介した前記第１データ信号の入力動作および前記第４アクセサリー接点を介した前記第２データ信号の出力動作を抑止する期間において、前記カメラボディに対して前記第１の真理値に対応するレベルの信号が出力される第５アクセサリー接点と、
前記第２アクセサリー接点に入力される前記クロック信号に同期して、前記第３アクセサリー接点を介した前記カメラボディからの前記第１データ信号の入力動作と、前記第４アクセサリー接点を介した前記カメラボディへの前記第２データ信号の出力動作とを行うアクセサリー側通信制御手段と、
を備え、
前記アクセサリー側通信制御手段は、前記第１アクセサリー接点を介して前記カメラボディから前記動作電圧が供給されている場合には、前記第５アクセサリー接点に前記第１の真理値に対応するレベルの信号が出力される継続時間を前記所定時間未満に制御することを特徴とするアクセサリー。
【請求項２】
第１ボディ接点と、第２ボディ接点と、第３ボディ接点と、第４ボディ接点と、第５ボディ接点とを備え、前記第５ボディ接点の信号レベルが所定時間以上連続して第１の真理値に対応する信号レベルである場合にはアクセサリーが取り外されていることを検知するカメラボディに対し、着脱可能なアクセサリーであって、
前記カメラボディに対して着脱可能に取り付けられる取付手段と、
前記カメラボディに装着されているときに前記第１ボディ接点に接続され、前記カメラボディから動作電圧の供給を受ける第１アクセサリー接点と、
前記カメラボディに装着されているときに前記第２ボディ接点に接続され、前記カメラボディから出力されたクロック信号が入力される第２アクセサリー接点と、
前記カメラボディに装着されているときに前記第３ボディ接点に接続され、前記カメラボディから第１データ信号が入力される第３アクセサリー接点と、
前記カメラボディに装着されているときに前記第４ボディ接点に接続され、前記カメラボディに対して第２データ信号が出力される第４アクセサリー接点と、
前記カメラボディに装着されているときに前記第５ボディ接点に接続され、前記第３アクセサリー接点を介した前記第１データ信号の入力動作および前記第４アクセサリー接点を介した前記第２データ信号の出力動作を抑止する期間において、前記カメラボディに対して前記第１の真理値に対応するレベルの信号が出力される第５アクセサリー接点と、
前記第２アクセサリー接点に入力される前記クロック信号に同期して、前記第３アクセサリー接点を介した前記カメラボディからの前記第１データ信号の入力動作と、前記第４アクセサリー接点を介した前記カメラボディへの前記第２データ信号の出力動作とを行うアクセサリー側通信制御手段と、
を備え、
前記アクセサリー側通信制御手段は、前記第１アクセサリー接点を介して前記カメラボディから前記動作電圧が供給されている場合には、前記カメラボディから前記アクセサリーが取り外されていると検出させないような信号を、前記第５アクセサリー接点から出力させるように制御することを特徴とするアクセサリー。
【請求項３】
第１ボディ接点と、第２ボディ接点と、第３ボディ接点と、第４ボディ接点と、第５ボディ接点とを備え、前記第５ボディ接点の信号レベルが所定時間以上連続して第１の真理値に対応する信号レベルである場合にはアクセサリーが取り外されていることを検知するカメラボディに対し、着脱可能なアクセサリーであって、
前記カメラボディに対して着脱可能に取り付けられる取付手段と、
前記カメラボディに装着されているときに前記第１ボディ接点に接続され、前記カメラボディから動作電圧の供給を受ける第１アクセサリー接点と、
前記カメラボディに装着されているときに前記第２ボディ接点に接続され、前記カメラボディから出力されたクロック信号が入力される第２アクセサリー接点と、
前記カメラボディに装着されているときに前記第３ボディ接点に接続され、前記カメラボディから第１データ信号が入力される第３アクセサリー接点と、
前記カメラボディに装着されているときに前記第４ボディ接点に接続され、前記カメラボディに対して第２データ信号が出力される第４アクセサリー接点と、
前記カメラボディに装着されているときに前記第５ボディ接点に接続され、前記第３アクセサリー接点を介した前記第１データ信号の入力動作および前記第４アクセサリー接点を介した前記第２データ信号の出力動作を抑止する期間において、前記カメラボディに対して前記第１の真理値に対応するレベルの信号が出力される第５アクセサリー接点と、
前記第２アクセサリー接点に入力される前記クロック信号に同期して、前記第３アクセサリー接点を介した前記カメラボディからの前記第１データ信号の入力動作と、前記第４アクセサリー接点を介した前記カメラボディへの前記第２データ信号の出力動作とを行うアクセサリー側通信制御手段と、
を備え、
前記アクセサリー側通信制御手段は、前記第１アクセサリー接点を介して前記カメラボディから前記動作電圧が供給されている場合には、前記カメラボディから前記アクセサリーが取り外されていると前記カメラボディに認識させないように、前記第５アクセサリー接点からの出力を制御することを特徴とするアクセサリー。
【請求項４】
請求項１〜３のいずれか一項に記載のアクセサリーにおいて、
前記アクセサリー側通信制御手段は、前記第１アクセサリー接点を介して前記カメラボディから前記動作電圧が供給され、且つ前記アクセサリー側通信制御手段により前記第１データ信号の入力動作または前記第２データ信号の出力動作が行われている場合には、前記第５アクセサリー接点に前記第１の真理値とは異なる第２の真理値に対応するレベルの信号を出力することを特徴とするアクセサリー。
【請求項５】
請求項１〜４のいずれか一項に記載のアクセサリーにおいて、
前記アクセサリー側通信制御手段は、前記第１データ信号の入力動作または前記第２データ信号の出力動作において、前記第２アクセサリー接点乃至前記第５アクセサリー接点のうち前記第５アクセサリー接点の信号レベルの変化が最も少なくなるように、前記第２アクセサリー接点乃至前記第５アクセサリー接点の信号レベルを制御することを特徴とするアクセサリー。
【請求項６】
請求項５に記載のアクセサリーにおいて、
前記カメラボディが有する前記第１ボディ接点乃至前記第５ボディ接点とは異なる４つのボディ接点であって、前記第１データ信号の入力動作とも前記第２データ信号の出力動作とも異なる通信動作のための４つのボディ接点に対してそれぞれ接続される４つのアクセサリー接点を更に備え、
前記アクセサリー側通信制御手段は、前記第２アクセサリー接点乃至前記第５アクセサリー接点と、前記４つのアクセサリー接点と、のうち前記第５アクセサリー接点の信号レベルの変化が最も少なくなるように、前記第２アクセサリー接点乃至前記第５アクセサリーと前記４つのアクセサリー接点との信号レベルを制御することを特徴とするアクセサリー。
【請求項７】
請求項１〜６のいずれか一項に記載のアクセサリーにおいて、
前記第５アクセサリー接点は、前記アクセサリー内においてプルダウン抵抗を介して接地されることを特徴とするアクセサリー。
【請求項８】
第１アクセサリー接点と、第２アクセサリー接点と、第３アクセサリー接点と、第４アクセサリー接点と、第５アクセサリー接点とを有するアクセサリーが、着脱可能に取り付けられる取付手段と、
前記アクセサリーに装着されているときに前記第１アクセサリー接点に接続され、前記アクセサリーに対して動作電圧を供給する第１ボディ接点と、
前記アクセサリーに装着されているときに前記第２アクセサリー接点に接続され、前記アクセサリーに対してクロック信号が出力される第２ボディ接点と、
前記アクセサリーに装着されているときに前記第３アクセサリー接点に接続され、前記アクセサリーに対して第１データ信号が出力される第３ボディ接点と、
前記アクセサリーに装着されているときに前記第４アクセサリー接点に接続され、前記アクセサリーから第２データ信号が入力される第４ボディ接点と、
前記アクセサリーに装着されているときに前記第５アクセサリー接点に接続され、前記第３ボディ接点を介した前記第１データ信号の出力動作および前記第４ボディ接点を介した前記第２データ信号の入力動作を抑止する期間において、前記アクセサリーから第１の真理値に対応するレベルの信号が入力される第５ボディ接点と、
前記第２ボディ接点から前記クロック信号を出力すると共に、当該クロック信号に同期して、前記第３ボディ接点を介した前記アクセサリーへの前記第１データ信号の出力動作と、前記第４ボディ接点を介した前記アクセサリーからの前記第２データ信号の入力動作とを行うボディ側通信制御手段と、
前記第５ボディ接点の信号レベルが所定時間以上連続して前記第１の真理値に対応する信号レベルである場合には前記アクセサリーが取り外されていることを検知する着脱検知手段と、
を備え、
前記ボディ側通信制御手段は、前記取付手段に前記アクセサリーが取り付けられている場合、前記第５ボディ接点を介して、前記所定時間以上連続して前記第１の真理値に対応する信号レベルになることのない信号を受信することを特徴とするカメラボディ。
【請求項９】
請求項８に記載のカメラボディにおいて、
前記ボディ側通信制御手段は、前記ボディ側通信制御手段により前記第１データ信号の出力動作または前記第２データ信号の入力動作が行われている場合には、前記第５ボディ接点から前記第１の真理値とは異なる第２の真理値に対応するレベルの信号を受信し、前記第１データ信号の出力動作または前記第２データ信号の入力動作を行っていない場合には、前記第５ボディ接点から前記第１の真理値に対応するレベルの信号を受信することを特徴とするカメラボディ。
【請求項１０】
請求項８または９に記載のカメラボディにおいて、
前記ボディ側通信制御手段は、前記第１データ信号の出力動作または前記第２データ信号の入力動作において、前記第５ボディ接点を介して、前記第２ボディ接点乃至前記第５ボディ接点の各々を介して授受される信号のうち信号レベルの変化が最も少ない信号を受信することを特徴とするカメラボディ。
【請求項１１】
請求項１０に記載のカメラボディにおいて、
前記アクセサリーが有する４つのアクセサリー接点にそれぞれ接続される、前記第１ボディ接点乃至前記第５ボディ接点とは異なる４つのボディ接点であって、前記第１データ信号の出力動作とも前記第２データ信号の入力動作とも異なる通信動作のための４つのボディ接点を更に備え、
前記ボディ側通信制御手段は、前記第１データ信号の出力動作または前記第２データ信号の入力動作において、前記第５ボディ接点を介して、前記第２ボディ接点乃至前記第５ボディ接点と、前記４つのボディ接点と、の各々を介して授受される信号のうち信号レベルの変化が最も少ない信号を受信することを特徴とするカメラボディ。
【請求項１２】
カメラボディと、前記カメラボディに対して着脱が可能なアクセサリーと、から成るカメラシステムであって、
前記カメラボディは、
前記アクセサリーに対して動作電圧を供給する第１ボディ接点と、
前記アクセサリーに対してクロック信号が出力される第２ボディ接点と、
前記アクセサリーに対して第１データ信号が出力される第３ボディ接点と、
前記アクセサリーから第２データ信号が入力される第４ボディ接点と、
前記第３ボディ接点を介した前記第１データ信号の出力動作および前記第４ボディ接点を介した前記第２データ信号の入力動作を抑止する期間において、前記アクセサリーから第１の真理値に対応するレベルの信号が入力される第５ボディ接点と、
前記第２ボディ接点から前記クロック信号を出力すると共に、当該クロック信号に同期して、前記第３ボディ接点を介した前記アクセサリーへの前記第１データ信号の出力動作と、前記第４ボディ接点を介した前記アクセサリーからの前記第２データ信号の入力動作とを行うボディ側通信制御手段と、
前記第５ボディ接点の信号レベルが所定時間以上連続して前記第１の真理値に対応する信号レベルである場合には前記アクセサリーが取り外されていることを検知する着脱検知手段と、
を備え、
前記アクセサリーは、
前記第１ボディ接点に接続される第１アクセサリー接点と、
前記第２ボディ接点に接続される第２アクセサリー接点と、
前記第３ボディ接点に接続される第３アクセサリー接点と、
前記第４ボディ接点に接続される第４アクセサリー接点と、
前記第５ボディ接点に接続される第５アクセサリー接点と、
前記第２アクセサリー接点に入力される前記クロック信号に同期して、前記第３アクセサリー接点を介した前記カメラボディからの前記第１データ信号の入力動作と、前記第４アクセサリー接点を介した前記カメラボディへの前記第２データ信号の出力動作とを行うアクセサリー側通信制御手段と、
を備え、
前記アクセサリー側通信制御手段は、前記第１アクセサリー接点を介して前記カメラボディから前記動作電圧が供給されている場合には、第５アクセサリー接点に前記第１の真理値に対応するレベルの信号が出力される継続時間を前記所定時間未満に制御することを特徴とするカメラシステム。
【請求項１３】
請求項１２に記載のカメラシステムにおいて、
前記アクセサリー側通信制御手段は、前記第１アクセサリー接点を介して前記カメラボディから前記動作電圧が供給され、且つ前記アクセサリー側通信制御手段により前記第１データ信号の入力動作または前記第２データ信号の出力動作が行われている場合には、前
記第５アクセサリー接点に前記第１の真理値とは異なる第２の真理値に対応するレベルの信号を出力し、前記第１データ信号の入力動作または前記第２データ信号の出力動作を行っていない場合には、前記第５アクセサリー接点に前記第１の真理値に対応するレベルの信号を出力することを特徴とするカメラシステム。
【請求項１４】
請求項１２または１３に記載のカメラシステムにおいて、
前記アクセサリー側通信制御手段は、前記第１データ信号の入力動作または前記第２データ信号の出力動作において、前記第２アクセサリー接点乃至前記第５アクセサリー接点のうち前記第５アクセサリー接点の信号レベルの変化が最も少なくなるように、前記第２アクセサリー接点乃至前記第５アクセサリー接点を制御することを特徴とするカメラシステム。
【請求項１５】
請求項１４に記載のカメラシステムにおいて、
前記カメラボディは、前記第１ボディ接点乃至前記第５ボディ接点とは異なる４つのボディ接点であって、前記第１データ信号の出力動作とも前記第２データ信号の入力動作とも異なる通信動作のための４つのボディ接点を更に備え、
前記アクセサリーは、前記４つのボディ接点に対してそれぞれ接続される４つのアクセサリー接点を更に備え、
前記アクセサリー側通信制御手段は、前記第２アクセサリー接点乃至前記第５アクセサリー接点と、前記４つのアクセサリー接点と、のうち前記第５アクセサリー接点の信号レベルの変化が最も少なくなるように、前記第２アクセサリー接点乃至前記第５アクセサリー接点と前記４つのアクセサリー接点とを制御することを特徴とするカメラシステム。
【請求項１６】
請求項１２〜１５のいずれか一項に記載のカメラシステムにおいて、
前記第５アクセサリー接点は、前記アクセサリー内においてプルダウン抵抗を介して接地されることを特徴とするカメラシステム。
【請求項１７】
請求項１〜７のいずれか一項に記載のアクセサリーにおいて、
前記アクセサリーは、前記カメラボディに着脱可能な交換レンズであることを特徴とするアクセサリー。
【請求項１８】
請求項１〜７のいずれか一項に記載のアクセサリーにおいて、
前記アクセサリーは、
２つのマウント部を備え、
前記２つのマウント部のうちの一方のマウント部において前記カメラボディを着脱可能であり、且つ前記カメラボディに着脱不能な交換レンズを前記他方のマウント部において着脱可能な中間アクセサリーであることを特徴とするアクセサリー。
【手続補正２】
【補正対象書類名】明細書
【補正対象項目名】０００５
【補正方法】変更
【補正の内容】
【０００５】
請求項１に係る発明は、第１ボディ接点と、第２ボディ接点と、第３ボディ接点と、第４ボディ接点と、第５ボディ接点とを備え、第５ボディ接点の信号レベルが所定時間以上連続して第１の真理値に対応する信号レベルである場合にはアクセサリーが取り外されていることを検知するカメラボディに対し、着脱可能なアクセサリーであって、カメラボディに対して着脱可能に取り付けられる取付手段と、カメラボディに装着されているときに第１ボディ接点に接続され、カメラボディから動作電圧の供給を受ける第１アクセサリー接点と、カメラボディに装着されているときに第２ボディ接点に接続され、カメラボディから出力されたクロック信号が入力される第２アクセサリー接点と、カメラボディに装着されているときに第３ボディ接点に接続され、カメラボディから第１データ信号が入力される第３アクセサリー接点と、カメラボディに装着されているときに第４ボディ接点に接続され、カメラボディに対して第２データ信号が出力される第４アクセサリー接点と、カメラボディに装着されているときに第５ボディ接点に接続され、第３アクセサリー接点を介した第１データ信号の入力動作および第４アクセサリー接点を介した第２データ信号の出力動作を抑止する期間において、カメラボディに対して第１の真理値に対応するレベルの信号が出力される第５アクセサリー接点と、第２アクセサリー接点に入力されるクロック信号に同期して、第３アクセサリー接点を介したカメラボディからの第１データ信号の入力動作と、第４アクセサリー接点を介したカメラボディへの第２データ信号の出力動作とを行うアクセサリー側通信制御手段と、を備え、アクセサリー側通信制御手段は、第１アクセサリー接点を介してカメラボディから動作電圧が供給されている場合には、第５アクセサリー接点に第１の真理値に対応するレベルの信号が出力される継続時間を所定時間未満に制御することを特徴とするアクセサリーである。
請求項２に係る発明は、第１ボディ接点と、第２ボディ接点と、第３ボディ接点と、第４ボディ接点と、第５ボディ接点とを備え、前記第５ボディ接点の信号レベルが所定時間以上連続して第１の真理値に対応する信号レベルである場合にはアクセサリーが取り外されていることを検知するカメラボディに対し、着脱可能なアクセサリーであって、前記カメラボディに対して着脱可能に取り付けられる取付手段と、前記カメラボディに装着されているときに前記第１ボディ接点に接続され、前記カメラボディから動作電圧の供給を受ける第１アクセサリー接点と、前記カメラボディに装着されているときに前記第２ボディ接点に接続され、前記カメラボディから出力されたクロック信号が入力される第２アクセサリー接点と、前記カメラボディに装着されているときに前記第３ボディ接点に接続され、前記カメラボディから第１データ信号が入力される第３アクセサリー接点と、前記カメラボディに装着されているときに前記第４ボディ接点に接続され、前記カメラボディに対して第２データ信号が出力される第４アクセサリー接点と、前記カメラボディに装着されているときに前記第５ボディ接点に接続され、前記第３アクセサリー接点を介した前記第１データ信号の入力動作および前記第４アクセサリー接点を介した前記第２データ信号の出力動作を抑止する期間において、前記カメラボディに対して前記第１の真理値に対応するレベルの信号が出力される第５アクセサリー接点と、前記第２アクセサリー接点に入力される前記クロック信号に同期して、前記第３アクセサリー接点を介した前記カメラボディからの前記第１データ信号の入力動作と、前記第４アクセサリー接点を介した前記カメラボディへの前記第２データ信号の出力動作とを行うアクセサリー側通信制御手段と、を備え、前記アクセサリー側通信制御手段は、前記第１アクセサリー接点を介して前記カメラボディから前記動作電圧が供給されている場合には、前記カメラボディから前記アクセサリーが取り外されていると検出させないような信号を、前記第５アクセサリー接点から出力させるように制御することを特徴とするアクセサリーである。
請求項３に係る発明は、第１ボディ接点と、第２ボディ接点と、第３ボディ接点と、第４ボディ接点と、第５ボディ接点とを備え、前記第５ボディ接点の信号レベルが所定時間以上連続して第１の真理値に対応する信号レベルである場合にはアクセサリーが取り外されていることを検知するカメラボディに対し、着脱可能なアクセサリーであって、前記カメラボディに対して着脱可能に取り付けられる取付手段と、前記カメラボディに装着されているときに前記第１ボディ接点に接続され、前記カメラボディから動作電圧の供給を受ける第１アクセサリー接点と、前記カメラボディに装着されているときに前記第２ボディ接点に接続され、前記カメラボディから出力されたクロック信号が入力される第２アクセサリー接点と、前記カメラボディに装着されているときに前記第３ボディ接点に接続され、前記カメラボディから第１データ信号が入力される第３アクセサリー接点と、前記カメラボディに装着されているときに前記第４ボディ接点に接続され、前記カメラボディに対して第２データ信号が出力される第４アクセサリー接点と、前記カメラボディに装着されているときに前記第５ボディ接点に接続され、前記第３アクセサリー接点を介した前記第１データ信号の入力動作および前記第４アクセサリー接点を介した前記第２データ信号の出力動作を抑止する期間において、前記カメラボディに対して前記第１の真理値に対応するレベルの信号が出力される第５アクセサリー接点と、前記第２アクセサリー接点に入力される前記クロック信号に同期して、前記第３アクセサリー接点を介した前記カメラボディからの前記第１データ信号の入力動作と、前記第４アクセサリー接点を介した前記カメラボディへの前記第２データ信号の出力動作とを行うアクセサリー側通信制御手段と、を備え、前記アクセサリー側通信制御手段は、前記第１アクセサリー接点を介して前記カメラボディから前記動作電圧が供給されている場合には、前記カメラボディから前記アクセサリーが取り外されていると前記カメラボディに認識させないように、前記第５アクセサリー接点からの出力を制御することを特徴とするアクセサリーである。
請求項８に係る発明は、第１アクセサリー接点と、第２アクセサリー接点と、第３アクセサリー接点と、第４アクセサリー接点と、第５アクセサリー接点とを有するアクセサリーが、着脱可能に取り付けられる取付手段と、アクセサリーに装着されているときに第１アクセサリー接点に接続され、アクセサリーに対して動作電圧を供給する第１ボディ接点と、アクセサリーに装着されているときに第２アクセサリー接点に接続され、アクセサリーに対してクロック信号が出力される第２ボディ接点と、アクセサリーに装着されているときに第３アクセサリー接点に接続され、アクセサリーに対して第１データ信号が出力される第３ボディ接点と、アクセサリーに装着されているときに第４アクセサリー接点に接続され、アクセサリーから第２データ信号が入力される第４ボディ接点と、アクセサリーに装着されているときに第５アクセサリー接点に接続され、第３ボディ接点を介した第１データ信号の出力動作および第４ボディ接点を介した第２データ信号の入力動作を抑止する期間において、アクセサリーから第１の真理値に対応するレベルの信号が入力される第５ボディ接点と、第２ボディ接点からクロック信号を出力すると共に、当該クロック信号に同期して、第３ボディ接点を介したアクセサリーへの第１データ信号の出力動作と、第４ボディ接点を介したアクセサリーからの第２データ信号の入力動作とを行うボディ側通信制御手段と、第５ボディ接点の信号レベルが所定時間以上連続して第１の真理値に対応する信号レベルである場合にはアクセサリーが取り外されていることを検知する着脱検知手段と、を備え、ボディ側通信制御手段は、取付手段にアクセサリーが取り付けられている場合、第５ボディ接点を介して、所定時間以上連続して第１の真理値に対応する信号レベルになることのない信号を受信することを特徴とするカメラボディである。
請求項１２に係る発明は、カメラボディと、カメラボディに対して着脱が可能なアクセサリーと、から成るカメラシステムであって、カメラボディは、アクセサリーに対して動作電圧を供給する第１ボディ接点と、アクセサリーに対してクロック信号が出力される第２ボディ接点と、アクセサリーに対して第１データ信号が出力される第３ボディ接点と、アクセサリーから第２データ信号が入力される第４ボディ接点と、第３ボディ接点を介した第１データ信号の出力動作および第４ボディ接点を介した第２データ信号の入力動作を抑止する期間において、アクセサリーから第１の真理値に対応するレベルの信号が入力される第５ボディ接点と、第２ボディ接点からクロック信号を出力すると共に、当該クロック信号に同期して、第３ボディ接点を介したアクセサリーへの第１データ信号の出力動作と、第４ボディ接点を介したアクセサリーからの第２データ信号の入力動作とを行うボディ側通信制御手段と、第５ボディ接点の信号レベルが所定時間以上連続して第１の真理値に対応する信号レベルである場合にはアクセサリーが取り外されていることを検知する着脱検知手段と、を備え、アクセサリーは、第１ボディ接点に接続される第１アクセサリー接点と、第２ボディ接点に接続される第２アクセサリー接点と、第３ボディ接点に接続される第３アクセサリー接点と、第４ボディ接点に接続される第４アクセサリー接点と、第５ボディ接点に接続される第５アクセサリー接点と、第２アクセサリー接点に入力されるクロック信号に同期して、第３アクセサリー接点を介したカメラボディからの第１データ信号の入力動作と、第４アクセサリー接点を介したカメラボディへの第２データ信号の出力動作とを行うアクセサリー側通信制御手段と、を備え、アクセサリー側通信制御手段は、第１アクセサリー接点を介してカメラボディから動作電圧が供給されている場合には、第５アクセサリー接点に第１の真理値に対応するレベルの信号が出力される継続時間を所定時間未満に制御することを特徴とするカメラシステムである。
【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
第１ボディ接点と、第２ボディ接点と、第３ボディ接点と、第４ボディ接点と、第５ボディ接点とを備え、前記第５ボディ接点の信号レベルが所定時間以上連続して第１の真理値に対応する信号レベルである場合にはアクセサリーが取り外されていることを検知するカメラボディに対し、着脱可能なアクセサリーであって、
前記カメラボディに対して着脱可能に取り付けられる取付手段と、
前記カメラボディに装着されているときに前記第１ボディ接点に接続され、前記カメラボディから動作電圧の供給を受ける第１アクセサリー接点と、
前記カメラボディに装着されているときに前記第２ボディ接点に接続され、前記カメラボディから出力されたクロック信号が入力される第２アクセサリー接点と、
前記カメラボディに装着されているときに前記第３ボディ接点に接続され、前記カメラボディから第１データ信号が入力される第３アクセサリー接点と、
前記カメラボディに装着されているときに前記第４ボディ接点に接続され、前記カメラボディに対して第２データ信号が出力される第４アクセサリー接点と、
前記カメラボディに装着されているときに前記第５ボディ接点に接続され、前記第３アクセサリー接点を介した前記第１データ信号の入力動作および前記第４アクセサリー接点を介した前記第２データ信号の出力動作を抑止する期間において、前記カメラボディに対して前記第１の真理値に対応するレベルの信号が出力される第５アクセサリー接点と、
前記第２アクセサリー接点に入力される前記クロック信号に同期して、前記第３アクセサリー接点を介した前記カメラボディからの前記第１データ信号の入力動作と、前記第４アクセサリー接点を介した前記カメラボディへの前記第２データ信号の出力動作とを行うアクセサリー側通信制御手段と、
を備え、
前記アクセサリー側通信制御手段は、前記第１アクセサリー接点を介して前記カメラボディから前記動作電圧が供給されている場合には、前記第５アクセサリー接点に前記第１の真理値に対応するレベルの信号が出力される継続時間を前記所定時間未満に制御することを特徴とするアクセサリー。
【請求項２】
第１ボディ接点と、第２ボディ接点と、第３ボディ接点と、第４ボディ接点と、第５ボディ接点とを備え、前記第５ボディ接点の信号レベルが所定時間以上連続して第１の真理値に対応する信号レベルである場合にはアクセサリーが取り外されていることを検知するカメラボディに対し、着脱可能なアクセサリーであって、
前記カメラボディに対して着脱可能に取り付けられる取付手段と、
前記カメラボディに装着されているときに前記第１ボディ接点に接続され、前記カメラボディから動作電圧の供給を受ける第１アクセサリー接点と、
前記カメラボディに装着されているときに前記第２ボディ接点に接続され、前記カメラボディから出力されたクロック信号が入力される第２アクセサリー接点と、
前記カメラボディに装着されているときに前記第３ボディ接点に接続され、前記カメラボディから第１データ信号が入力される第３アクセサリー接点と、
前記カメラボディに装着されているときに前記第４ボディ接点に接続され、前記カメラボディに対して第２データ信号が出力される第４アクセサリー接点と、
前記カメラボディに装着されているときに前記第５ボディ接点に接続され、前記第３アクセサリー接点を介した前記第１データ信号の入力動作および前記第４アクセサリー接点を介した前記第２データ信号の出力動作を抑止する期間において、前記カメラボディに対して前記第１の真理値に対応するレベルの信号が出力される第５アクセサリー接点と、
前記第２アクセサリー接点に入力される前記クロック信号に同期して、前記第３アクセサリー接点を介した前記カメラボディからの前記第１データ信号の入力動作と、前記第４アクセサリー接点を介した前記カメラボディへの前記第２データ信号の出力動作とを行うアクセサリー側通信制御手段と、
を備え、
前記アクセサリー側通信制御手段は、前記第１アクセサリー接点を介して前記カメラボディから前記動作電圧が供給されている場合には、前記カメラボディから前記アクセサリーが取り外されていると検出させないような前記信号を、前記第５アクセサリー接点から出力させるように制御することを特徴とするアクセサリー。
【請求項３】
第１ボディ接点と、第２ボディ接点と、第３ボディ接点と、第４ボディ接点と、第５ボディ接点とを備え、前記第５ボディ接点の信号レベルが所定時間以上連続して第１の真理値に対応する信号レベルである場合にはアクセサリーが取り外されていることを検知するカメラボディに対し、着脱可能なアクセサリーであって、
前記カメラボディに対して着脱可能に取り付けられる取付手段と、
前記カメラボディに装着されているときに前記第１ボディ接点に接続され、前記カメラボディから動作電圧の供給を受ける第１アクセサリー接点と、
前記カメラボディに装着されているときに前記第２ボディ接点に接続され、前記カメラボディから出力されたクロック信号が入力される第２アクセサリー接点と、
前記カメラボディに装着されているときに前記第３ボディ接点に接続され、前記カメラボディから第１データ信号が入力される第３アクセサリー接点と、
前記カメラボディに装着されているときに前記第４ボディ接点に接続され、前記カメラボディに対して第２データ信号が出力される第４アクセサリー接点と、
前記カメラボディに装着されているときに前記第５ボディ接点に接続され、前記第３アクセサリー接点を介した前記第１データ信号の入力動作および前記第４アクセサリー接点を介した前記第２データ信号の出力動作を抑止する期間において、前記カメラボディに対して前記第１の真理値に対応するレベルの信号が出力される第５アクセサリー接点と、
前記第２アクセサリー接点に入力される前記クロック信号に同期して、前記第３アクセサリー接点を介した前記カメラボディからの前記第１データ信号の入力動作と、前記第４アクセサリー接点を介した前記カメラボディへの前記第２データ信号の出力動作とを行うアクセサリー側通信制御手段と、
を備え、
前記アクセサリー側通信制御手段は、前記第１アクセサリー接点を介して前記カメラボディから前記動作電圧が供給されている場合には、前記カメラボディから前記アクセサリーが取り外されていると前記カメラボディに認識させないように、前記第５アクセサリー接点からの前記信号の出力を制御することを特徴とするアクセサリー。
【請求項４】
請求項１〜３のいずれか一項に記載のアクセサリーにおいて、
前記アクセサリー側通信制御手段は、前記第１アクセサリー接点を介して前記カメラボディから前記動作電圧が供給され、且つ前記アクセサリー側通信制御手段により前記第１データ信号の入力動作または前記第２データ信号の出力動作が行われている場合には、前記第５アクセサリー接点に前記第１の真理値とは異なる第２の真理値に対応するレベルの信号を出力することを特徴とするアクセサリー。
【請求項５】
請求項１〜４のいずれか一項に記載のアクセサリーにおいて、
前記アクセサリー側通信制御手段は、前記第１データ信号の入力動作または前記第２データ信号の出力動作において、前記第２アクセサリー接点乃至前記第５アクセサリー接点のうち前記第５アクセサリー接点の信号レベルの変化が最も少なくなるように、前記第２アクセサリー接点乃至前記第５アクセサリー接点の信号レベルを制御することを特徴とするアクセサリー。
【請求項６】
請求項５に記載のアクセサリーにおいて、
前記カメラボディが有する前記第１ボディ接点乃至前記第５ボディ接点とは異なる４つのボディ接点であって、前記第１データ信号の入力動作とも前記第２データ信号の出力動作とも異なる通信動作のための４つのボディ接点に対してそれぞれ接続される４つのアクセサリー接点を更に備え、
前記アクセサリー側通信制御手段は、前記第２アクセサリー接点乃至前記第５アクセサリー接点と、前記４つのアクセサリー接点と、のうち前記第５アクセサリー接点の信号レベルの変化が最も少なくなるように、前記第２アクセサリー接点乃至前記第５アクセサリーと前記４つのアクセサリー接点との信号レベルを制御することを特徴とするアクセサリー。
【請求項７】
請求項１〜６のいずれか一項に記載のアクセサリーにおいて、
前記第５アクセサリー接点は、前記アクセサリー内においてプルダウン抵抗を介して接地されることを特徴とするアクセサリー。
【請求項８】
第１アクセサリー接点と、第２アクセサリー接点と、第３アクセサリー接点と、第４アクセサリー接点と、第５アクセサリー接点とを有するアクセサリーが、着脱可能に取り付けられる取付手段と、
前記アクセサリーに装着されているときに前記第１アクセサリー接点に接続され、前記アクセサリーに対して動作電圧を供給する第１ボディ接点と、
前記アクセサリーに装着されているときに前記第２アクセサリー接点に接続され、前記アクセサリーに対してクロック信号が出力される第２ボディ接点と、
前記アクセサリーに装着されているときに前記第３アクセサリー接点に接続され、前記アクセサリーに対して第１データ信号が出力される第３ボディ接点と、
前記アクセサリーに装着されているときに前記第４アクセサリー接点に接続され、前記アクセサリーから第２データ信号が入力される第４ボディ接点と、
前記アクセサリーに装着されているときに前記第５アクセサリー接点に接続され、前記第３ボディ接点を介した前記第１データ信号の出力動作および前記第４ボディ接点を介した前記第２データ信号の入力動作を抑止する期間において、前記アクセサリーから第１の真理値に対応するレベルの信号が入力される第５ボディ接点と、
前記第２ボディ接点から前記クロック信号を出力すると共に、当該クロック信号に同期して、前記第３ボディ接点を介した前記アクセサリーへの前記第１データ信号の出力動作と、前記第４ボディ接点を介した前記アクセサリーからの前記第２データ信号の入力動作とを行うボディ側通信制御手段と、
前記第５ボディ接点の信号レベルが所定時間以上連続して前記第１の真理値に対応する信号レベルである場合には前記アクセサリーが取り外されていることを検知する着脱検知
手段と、
を備え、
前記ボディ側通信制御手段は、前記取付手段に前記アクセサリーが取り付けられている場合、前記第５ボディ接点を介して、前記所定時間以上連続して前記第１の真理値に対応する信号レベルになることのない前記信号を受信することを特徴とするカメラボディ。
【請求項９】
請求項８に記載のカメラボディにおいて、
前記ボディ側通信制御手段は、前記ボディ側通信制御手段により前記第１データ信号の出力動作または前記第２データ信号の入力動作が行われている場合には、前記第５ボディ接点から前記第１の真理値とは異なる第２の真理値に対応するレベルの信号を受信し、前記第１データ信号の出力動作または前記第２データ信号の入力動作を行っていない場合には、前記第５ボディ接点から前記第１の真理値に対応するレベルの信号を受信することを特徴とするカメラボディ。
【請求項１０】
請求項８または９に記載のカメラボディにおいて、
前記ボディ側通信制御手段は、前記第１データ信号の出力動作または前記第２データ信号の入力動作において、前記第５ボディ接点を介して、前記第２ボディ接点乃至前記第５ボディ接点の各々を介して授受される信号のうち信号レベルの変化が最も少ない信号を受信することを特徴とするカメラボディ。
【請求項１１】
請求項１０に記載のカメラボディにおいて、
前記アクセサリーが有する４つのアクセサリー接点にそれぞれ接続される、前記第１ボディ接点乃至前記第５ボディ接点とは異なる４つのボディ接点であって、前記第１データ信号の出力動作とも前記第２データ信号の入力動作とも異なる通信動作のための４つのボディ接点を更に備え、
前記ボディ側通信制御手段は、前記第１データ信号の出力動作または前記第２データ信号の入力動作において、前記第５ボディ接点を介して、前記第２ボディ接点乃至前記第５ボディ接点と、前記４つのボディ接点と、の各々を介して授受される信号のうち信号レベルの変化が最も少ない信号を受信することを特徴とするカメラボディ。
【請求項１２】
カメラボディと、前記カメラボディに対して着脱が可能なアクセサリーと、から成るカメラシステムであって、
前記カメラボディは、
前記アクセサリーに対して動作電圧を供給する第１ボディ接点と、
前記アクセサリーに対してクロック信号が出力される第２ボディ接点と、
前記アクセサリーに対して第１データ信号が出力される第３ボディ接点と、
前記アクセサリーから第２データ信号が入力される第４ボディ接点と、
前記第３ボディ接点を介した前記第１データ信号の出力動作および前記第４ボディ接点を介した前記第２データ信号の入力動作を抑止する期間において、前記アクセサリーから第１の真理値に対応するレベルの信号が入力される第５ボディ接点と、
前記第２ボディ接点から前記クロック信号を出力すると共に、当該クロック信号に同期して、前記第３ボディ接点を介した前記アクセサリーへの前記第１データ信号の出力動作と、前記第４ボディ接点を介した前記アクセサリーからの前記第２データ信号の入力動作とを行うボディ側通信制御手段と、
前記第５ボディ接点の信号レベルが所定時間以上連続して前記第１の真理値に対応する信号レベルである場合には前記アクセサリーが取り外されていることを検知する着脱検知手段と、
を備え、
前記アクセサリーは、
前記第１ボディ接点に接続される第１アクセサリー接点と、
前記第２ボディ接点に接続される第２アクセサリー接点と、
前記第３ボディ接点に接続される第３アクセサリー接点と、
前記第４ボディ接点に接続される第４アクセサリー接点と、
前記第５ボディ接点に接続される第５アクセサリー接点と、
前記第２アクセサリー接点に入力される前記クロック信号に同期して、前記第３アクセサリー接点を介した前記カメラボディからの前記第１データ信号の入力動作と、前記第４アクセサリー接点を介した前記カメラボディへの前記第２データ信号の出力動作とを行うアクセサリー側通信制御手段と、
を備え、
前記アクセサリー側通信制御手段は、前記第１アクセサリー接点を介して前記カメラボディから前記動作電圧が供給されている場合には、第５アクセサリー接点に前記第１の真理値に対応するレベルの前記信号が出力される継続時間を前記所定時間未満に制御することを特徴とするカメラシステム。
【請求項１３】
請求項１２に記載のカメラシステムにおいて、
前記アクセサリー側通信制御手段は、前記第１アクセサリー接点を介して前記カメラボディから前記動作電圧が供給され、且つ前記アクセサリー側通信制御手段により前記第１データ信号の入力動作または前記第２データ信号の出力動作が行われている場合には、前記第５アクセサリー接点に前記第１の真理値とは異なる第２の真理値に対応するレベルの信号を出力し、前記第１データ信号の入力動作または前記第２データ信号の出力動作を行っていない場合には、前記第５アクセサリー接点に前記第１の真理値に対応するレベルの信号を出力することを特徴とするカメラシステム。
【請求項１４】
請求項１２または１３に記載のカメラシステムにおいて、
前記アクセサリー側通信制御手段は、前記第１データ信号の入力動作または前記第２データ信号の出力動作において、前記第２アクセサリー接点乃至前記第５アクセサリー接点のうち前記第５アクセサリー接点の信号レベルの変化が最も少なくなるように、前記第２アクセサリー接点乃至前記第５アクセサリー接点を制御することを特徴とするカメラシステム。
【請求項１５】
請求項１４に記載のカメラシステムにおいて、
前記カメラボディは、前記第１ボディ接点乃至前記第５ボディ接点とは異なる４つのボディ接点であって、前記第１データ信号の出力動作とも前記第２データ信号の入力動作とも異なる通信動作のための４つのボディ接点を更に備え、
前記アクセサリーは、前記４つのボディ接点に対してそれぞれ接続される４つのアクセサリー接点を更に備え、
前記アクセサリー側通信制御手段は、前記第２アクセサリー接点乃至前記第５アクセサリー接点と、前記４つのアクセサリー接点と、のうち前記第５アクセサリー接点の信号レベルの変化が最も少なくなるように、前記第２アクセサリー接点乃至前記第５アクセサリー接点と前記４つのアクセサリー接点とを制御することを特徴とするカメラシステム。
【請求項１６】
請求項１２〜１５のいずれか一項に記載のカメラシステムにおいて、
前記第５アクセサリー接点は、前記アクセサリー内においてプルダウン抵抗を介して接地されることを特徴とするカメラシステム。
【請求項１７】
請求項１〜７のいずれか一項に記載のアクセサリーにおいて、
前記アクセサリーは、前記カメラボディに着脱可能な交換レンズであることを特徴とするアクセサリー。
【請求項１８】
請求項１〜７のいずれか一項に記載のアクセサリーにおいて、
前記アクセサリーは、
２つのマウント部を備え、
前記２つのマウント部のうちの一方のマウント部において前記カメラボディを着脱可能であり、且つ前記カメラボディに着脱不能な交換レンズを前記他方のマウント部において着脱可能な中間アクセサリーであることを特徴とするアクセサリー。
【手続補正２】
【補正対象書類名】明細書
【補正対象項目名】０００５
【補正方法】変更
【補正の内容】
【０００５】
請求項１に係る発明は、第１ボディ接点と、第２ボディ接点と、第３ボディ接点と、第４ボディ接点と、第５ボディ接点とを備え、第５ボディ接点の信号レベルが所定時間以上連続して第１の真理値に対応する信号レベルである場合にはアクセサリーが取り外されていることを検知するカメラボディに対し、着脱可能なアクセサリーであって、カメラボディに対して着脱可能に取り付けられる取付手段と、カメラボディに装着されているときに第１ボディ接点に接続され、カメラボディから動作電圧の供給を受ける第１アクセサリー接点と、カメラボディに装着されているときに第２ボディ接点に接続され、カメラボディから出力されたクロック信号が入力される第２アクセサリー接点と、カメラボディに装着されているときに第３ボディ接点に接続され、カメラボディから第１データ信号が入力される第３アクセサリー接点と、カメラボディに装着されているときに第４ボディ接点に接続され、カメラボディに対して第２データ信号が出力される第４アクセサリー接点と、カメラボディに装着されているときに第５ボディ接点に接続され、第３アクセサリー接点を介した第１データ信号の入力動作および第４アクセサリー接点を介した第２データ信号の出力動作を抑止する期間において、カメラボディに対して第１の真理値に対応するレベルの信号が出力される第５アクセサリー接点と、第２アクセサリー接点に入力されるクロック信号に同期して、第３アクセサリー接点を介したカメラボディからの第１データ信号の入力動作と、第４アクセサリー接点を介したカメラボディへの第２データ信号の出力動作とを行うアクセサリー側通信制御手段と、を備え、アクセサリー側通信制御手段は、第１アクセサリー接点を介してカメラボディから動作電圧が供給されている場合には、第５アクセサリー接点に第１の真理値に対応するレベルの信号が出力される継続時間を所定時間未満に制御することを特徴とするアクセサリーである。
請求項２に係る発明は、第１ボディ接点と、第２ボディ接点と、第３ボディ接点と、第４ボディ接点と、第５ボディ接点とを備え、前記第５ボディ接点の信号レベルが所定時間以上連続して第１の真理値に対応する信号レベルである場合にはアクセサリーが取り外されていることを検知するカメラボディに対し、着脱可能なアクセサリーであって、前記カメラボディに対して着脱可能に取り付けられる取付手段と、前記カメラボディに装着されているときに前記第１ボディ接点に接続され、前記カメラボディから動作電圧の供給を受ける第１アクセサリー接点と、前記カメラボディに装着されているときに前記第２ボディ接点に接続され、前記カメラボディから出力されたクロック信号が入力される第２アクセサリー接点と、前記カメラボディに装着されているときに前記第３ボディ接点に接続され、前記カメラボディから第１データ信号が入力される第３アクセサリー接点と、前記カメラボディに装着されているときに前記第４ボディ接点に接続され、前記カメラボディに対して第２データ信号が出力される第４アクセサリー接点と、前記カメラボディに装着されているときに前記第５ボディ接点に接続され、前記第３アクセサリー接点を介した前記第１データ信号の入力動作および前記第４アクセサリー接点を介した前記第２データ信号の出力動作を抑止する期間において、前記カメラボディに対して前記第１の真理値に対応するレベルの信号が出力される第５アクセサリー接点と、前記第２アクセサリー接点に入力される前記クロック信号に同期して、前記第３アクセサリー接点を介した前記カメラボデ
ィからの前記第１データ信号の入力動作と、前記第４アクセサリー接点を介した前記カメラボディへの前記第２データ信号の出力動作とを行うアクセサリー側通信制御手段と、を備え、前記アクセサリー側通信制御手段は、前記第１アクセサリー接点を介して前記カメラボディから前記動作電圧が供給されている場合には、前記カメラボディから前記アクセサリーが取り外されていると検出させないような前記信号を、前記第５アクセサリー接点から出力させるように制御することを特徴とするアクセサリーである。
請求項３に係る発明は、第１ボディ接点と、第２ボディ接点と、第３ボディ接点と、第４ボディ接点と、第５ボディ接点とを備え、前記第５ボディ接点の信号レベルが所定時間以上連続して第１の真理値に対応する信号レベルである場合にはアクセサリーが取り外されていることを検知するカメラボディに対し、着脱可能なアクセサリーであって、前記カメラボディに対して着脱可能に取り付けられる取付手段と、前記カメラボディに装着されているときに前記第１ボディ接点に接続され、前記カメラボディから動作電圧の供給を受ける第１アクセサリー接点と、前記カメラボディに装着されているときに前記第２ボディ接点に接続され、前記カメラボディから出力されたクロック信号が入力される第２アクセサリー接点と、前記カメラボディに装着されているときに前記第３ボディ接点に接続され、前記カメラボディから第１データ信号が入力される第３アクセサリー接点と、前記カメラボディに装着されているときに前記第４ボディ接点に接続され、前記カメラボディに対して第２データ信号が出力される第４アクセサリー接点と、前記カメラボディに装着されているときに前記第５ボディ接点に接続され、前記第３アクセサリー接点を介した前記第１データ信号の入力動作および前記第４アクセサリー接点を介した前記第２データ信号の出力動作を抑止する期間において、前記カメラボディに対して前記第１の真理値に対応するレベルの信号が出力される第５アクセサリー接点と、前記第２アクセサリー接点に入力される前記クロック信号に同期して、前記第３アクセサリー接点を介した前記カメラボディからの前記第１データ信号の入力動作と、前記第４アクセサリー接点を介した前記カメラボディへの前記第２データ信号の出力動作とを行うアクセサリー側通信制御手段と、を備え、前記アクセサリー側通信制御手段は、前記第１アクセサリー接点を介して前記カメラボディから前記動作電圧が供給されている場合には、前記カメラボディから前記アクセサリーが取り外されていると前記カメラボディに認識させないように、前記第５アクセサリー接点からの前記信号の出力を制御することを特徴とするアクセサリーである。
請求項８に係る発明は、第１アクセサリー接点と、第２アクセサリー接点と、第３アクセサリー接点と、第４アクセサリー接点と、第５アクセサリー接点とを有するアクセサリーが、着脱可能に取り付けられる取付手段と、アクセサリーに装着されているときに第１アクセサリー接点に接続され、アクセサリーに対して動作電圧を供給する第１ボディ接点と、アクセサリーに装着されているときに第２アクセサリー接点に接続され、アクセサリーに対してクロック信号が出力される第２ボディ接点と、アクセサリーに装着されているときに第３アクセサリー接点に接続され、アクセサリーに対して第１データ信号が出力される第３ボディ接点と、アクセサリーに装着されているときに第４アクセサリー接点に接続され、アクセサリーから第２データ信号が入力される第４ボディ接点と、アクセサリーに装着されているときに第５アクセサリー接点に接続され、第３ボディ接点を介した第１データ信号の出力動作および第４ボディ接点を介した第２データ信号の入力動作を抑止する期間において、アクセサリーから第１の真理値に対応するレベルの信号が入力される第５ボディ接点と、第２ボディ接点からクロック信号を出力すると共に、当該クロック信号に同期して、第３ボディ接点を介したアクセサリーへの第１データ信号の出力動作と、第４ボディ接点を介したアクセサリーからの第２データ信号の入力動作とを行うボディ側通信制御手段と、第５ボディ接点の信号レベルが所定時間以上連続して第１の真理値に対応する信号レベルである場合にはアクセサリーが取り外されていることを検知する着脱検知手段と、を備え、ボディ側通信制御手段は、取付手段にアクセサリーが取り付けられている場合、第５ボディ接点を介して、所定時間以上連続して第１の真理値に対応する信号レベルになることのない信号を受信することを特徴とするカメラボディである。
請求項１２に係る発明は、カメラボディと、カメラボディに対して着脱が可能なアクセ
サリーと、から成るカメラシステムであって、カメラボディは、アクセサリーに対して動作電圧を供給する第１ボディ接点と、アクセサリーに対してクロック信号が出力される第２ボディ接点と、アクセサリーに対して第１データ信号が出力される第３ボディ接点と、アクセサリーから第２データ信号が入力される第４ボディ接点と、第３ボディ接点を介した第１データ信号の出力動作および第４ボディ接点を介した第２データ信号の入力動作を抑止する期間において、アクセサリーから第１の真理値に対応するレベルの信号が入力される第５ボディ接点と、第２ボディ接点からクロック信号を出力すると共に、当該クロック信号に同期して、第３ボディ接点を介したアクセサリーへの第１データ信号の出力動作と、第４ボディ接点を介したアクセサリーからの第２データ信号の入力動作とを行うボディ側通信制御手段と、第５ボディ接点の信号レベルが所定時間以上連続して第１の真理値に対応する信号レベルである場合にはアクセサリーが取り外されていることを検知する着脱検知手段と、を備え、アクセサリーは、第１ボディ接点に接続される第１アクセサリー接点と、第２ボディ接点に接続される第２アクセサリー接点と、第３ボディ接点に接続される第３アクセサリー接点と、第４ボディ接点に接続される第４アクセサリー接点と、第５ボディ接点に接続される第５アクセサリー接点と、第２アクセサリー接点に入力されるクロック信号に同期して、第３アクセサリー接点を介したカメラボディからの第１データ信号の入力動作と、第４アクセサリー接点を介したカメラボディへの第２データ信号の出力動作とを行うアクセサリー側通信制御手段と、を備え、アクセサリー側通信制御手段は、第１アクセサリー接点を介してカメラボディから動作電圧が供給されている場合には、第５アクセサリー接点に第１の真理値に対応するレベルの信号が出力される継続時間を所定時間未満に制御することを特徴とするカメラシステムである。